(57)【要約】本出願は、１種以上の生化学的誘引性物体；視覚的誘引性物体；又はそれらの両方；と併せて二酸化炭素を利用して、飛ぶ昆虫を捕獲するための装置を開示する。生化学的誘引性物体（例えば、乳酸、乳酸塩、又はそれらの組み合わせ）は、長期間に渡って効果的な放出速度を確保するように特別に設計されたハウジングに包含されている特定の幾何学的形状で用いるのが好ましい。【特許請求の範囲】
【請求項１】
乳酸の溶液を含有する、飛ぶ昆虫を誘引するための誘引性物体であって、該溶液がゲル化網状組織を形成することができ；しかも、前記乳酸が該ゲル化網状組織に化学的には結合していない、上記誘引性物体。
【請求項２】
モノマーと水との水溶液を更に含有しており；しかも、該水溶液が、該モノマーの重合によってゲル化網状組織を形成することができ；しかも、該水が、該ゲル化網状組織に化学的には結合していない、請求項１に記載の誘引性物体。
【請求項３】
乳酸の溶液が、ゲル形態でゲル化網状組織の中に組み込まれている、請求項１に記載の誘引性物体。
【請求項４】
ゲルが、付加重合反応、縮合重合反応、カルボカチオン重合反応、フリーラジカル重合反応、アニオン重合反応又は有機金属重合反応によって形成されている、請求項３に記載の誘引性物体。
【請求項５】
ゲルが、紫外線、加熱、冷却、フリーラジカル、可視光線、赤外線、β線若しくはγ線によって、開始された反応；制御された反応；停止された反応；開始され制御された反応；開始され停止された反応；又は制御され停止された反応；の生成物である、請求項３に記載の誘引性物体。
【請求項６】
水溶液が、ゲル形態でゲル化網状組織の中に組み込まれている、請求項２に記載の誘引性物体。
【請求項７】
モノマーの重合が、付加重合反応、縮合重合反応、カルボカチオン重合反応、フリーラジカル重合反応、アニオン重合反応又は有機金属重合反応によるものである、請求項６に記載の誘引性物体。
【請求項８】
ゲルが、紫外線、加熱、冷却、フリーラジカル、可視光線、赤外線、β線若しくはγ線によって、開始された反応；制御された反応；停止された反応；開始され制御された反応；開始され停止された反応；又は制御され停止された反応；の生成物である、請求項６に記載の誘引性物体。
【請求項９】
乳酸の溶液と第１の紫外線反応性化合物とを含有している、飛ぶ昆虫を誘引するための誘引性物体。
【請求項１０】
水と第２の紫外線反応性化合物との溶液を更に含有している、請求項９に記載の誘引性物体。
【請求項１１】
乳酸がＬ−（＋）−乳酸である、請求項９に記載の誘引性物体。
【請求項１２】
第１の紫外線反応性化合物がアクリル酸である、請求項９に記載の誘引性物体。
【請求項１３】
第１の紫外線反応性化合物が、アクリル酸の塩である、請求項９に記載の誘引性物体。
【請求項１４】
第２の紫外線反応性化合物がアクリル酸である、請求項１０に記載の誘引性物体。
【請求項１５】
第２の紫外線反応性化合物が、アクリル酸の塩である、請求項１０に記載の誘引性物体。
【請求項１６】
溶液が、乳酸を１重量％〜９９重量％含有している、請求項９に記載の誘引性物体。
【請求項１７】
溶液が、乳酸を５０重量％〜９０重量％含有している、請求項１６に記載の誘引性物体。
【請求項１８】
溶液が、乳酸を８８重量％含有している、請求項１７に記載の誘引性物体。
【請求項１９】
光開始剤を更に含有している、請求項９に記載の誘引性物体。
【請求項２０】
光開始剤が２,２−ジメトキシ−１,２−ジフェニルエタン−１−オンである、請求項１９に記載の誘引性物体。
【請求項２１】
光開始剤がホスフィンオキシドである、請求項１９に記載の誘引性物体。
【請求項２２】
光開始剤を更に含有している、請求項１０に記載の誘引性物体。
【請求項２３】
光開始剤が２,２−ジメトキシ−１,２−ジフェニルエタン−１−オンである、請求項２２に記載の誘引性物体。
【請求項２４】
光開始剤がホスフィンオキシドである、請求項２２に記載の誘引性物体。
【請求項２５】
架橋剤を更に含有している、請求項９に記載の誘引性物体。
【請求項２６】
架橋剤がポリエチレングリコール６００ジアクリレートである、請求項２５に記載の誘引性物体。
【請求項２７】
架橋剤を更に含有している、請求項１０に記載の誘引性物体。
【請求項２８】
架橋剤がポリエチレングリコール６００ジアクリレートである、請求項２７に記載の誘引性物体。
【請求項２９】
Ｌ−（＋）−乳酸−ゲル溶液と、水性ゲル溶液とを含有する、飛ぶ昆虫を誘引するための誘引性物体であって、
（ａ）前記Ｌ−（＋）−乳酸−ゲル溶液が、
(i) アクリル酸ナトリウムを２０重量％〜５０重量％、
(ii)Ｌ−（＋）−乳酸を５０重量％〜７５重量％、
(iii) ポリエチレングリコール６００ジアクリレートを１重量％〜５重量％、
(iv)ホスフィンオキシドを１重量％〜３重量％
更に含有しており；しかも
（ｂ）前記水性ゲル溶液が、
(i) アクリル酸ナトリウムを３０重量％〜７０重量％、
(ii)Ｌ−（＋）−乳酸を２重量％〜６重量％、
(iii) ポリエチレングリコール６００ジアクリレートを１重量％〜５重量％、
(iv)ホスフィンオキシドを０．５重量％〜２重量％、及び
(v) 蒸留水を３０重量％〜７０重量％
更に含有している；上記誘引性物体。
【請求項３０】
（ａ）Ｌ−（＋）−乳酸−ゲル溶液が、
(i) アクリル酸ナトリウムを３７．０重量％、
(ii)Ｌ−（＋）−乳酸を５９．６重量％、
(iii) ポリエチレングリコール６００ジアクリレートを２．４重量％、
(iv)ホスフィンオキシドを１．０重量％、
更に含有しており；しかも
（ｂ）水性ゲル溶液が、
(i) アクリル酸ナトリウムを４７．０重量％、
(ii)Ｌ−（＋）−乳酸を３．４重量％、
(iii) ポリエチレングリコール６００ジアクリレートを３．４重量％、
(iv)ホスフィンオキシドを１．２重量％、及び
(v) 蒸留水を４５．０重量％、
更に含有している；請求項２９に記載の上記誘引性物体。
【請求項３１】
ゲル中に乳酸を含有している、飛ぶ昆虫を誘引するための誘引性物体。
【請求項３２】
ゲル中に水を更に含有している、請求項３１に記載の誘引性物体。
【請求項３３】
乳酸の第１の溶液を重合する工程を包含する、飛ぶ昆虫を誘引するための誘引性物体を調製する方法。
【請求項３４】
モノマーと水との水溶液を重合する工程を更に包含する、請求項３３に記載の方法。
【請求項３５】
乳酸の第１の溶液を重合する工程は、乳酸の第２の溶液と第１の紫外線反応性化合物とを紫外線に当てる工程を包含する、請求項３３に記載の方法。
【請求項３６】
モノマーと水との水溶液を重合する工程は、該水溶液を紫外線に当てる工程を包含する、請求項３４に記載の方法。
【請求項３７】
飛ぶ昆虫を誘引するための誘引性物体を製造するための方法は、
（ａ）(i) アクリル酸ナトリウムを２０重量％〜５０重量％、
(ii)Ｌ−（＋）−乳酸を５０重量％〜７５重量％、
(iii) ポリエチレングリコール６００ジアクリレートを１重量％〜５重量％、
(iv)ホスフィンオキシドを１重量％〜３重量％
更に含有するＬ−（＋）−乳酸−ゲル溶液を調製する工程と；
（ｂ）(i) アクリル酸ナトリウムを３０重量％〜７０重量％、
(ii)Ｌ−（＋）−乳酸を２重量％〜６重量％、
(iii) ポリエチレングリコール６００ジアクリレートを１重量％〜５重量％、
(iv)ホスフィンオキシドを０．５重量％〜２重量％、
(v) 蒸留水を３０重量％〜７０重量％
更に含有する水性ゲル溶液を調製する工程と；を包含する、上記製造方法。
【請求項３８】
（ａ）Ｌ−（＋）−乳酸−ゲル溶液は、
(i) アクリル酸ナトリウムを３７．０重量％、
(ii)Ｌ−（＋）−乳酸を５９．６重量％、
(iii) ポリエチレングリコール６００ジアクリレートを２．４重量％、
(iv)ホスフィンオキシドを１．０重量％
含有し；しかも
（ｂ）水性ゲル溶液は、
(i) アクリル酸ナトリウムを４７．０重量％、
(ii)Ｌ−（＋）−乳酸を３．４重量％、
(iii) ポリエチレングリコール６００ジアクリレートを３．４重量％、
(iv)ホスフィンオキシドを１．２重量％、及び
(v) 蒸留水を４５．０重量％
含有する；請求項３７に記載の方法。
【請求項３９】
紫外線放射は、紫外線Ａ放射又は紫外線Ｙ放射である、請求項３７に記載の方法。
【請求項４０】
水性ゲル溶液を紫外線放射に当てる工程は、該水性ゲルを紫外線ランプに当てる工程であって該紫外線ランプがＤガラス球(D-bulb)を更に備えている該工程を包含する、請求項３７に記載の方法。
【請求項４１】
Ｌ−（＋）−乳酸ゲル溶液を紫外線放射に当てる工程は、該Ｌ−（＋）−乳酸ゲルを紫外線ランプに当てる工程であって該紫外線ランプがＤガラス球を更に備えている該工程を包含する、請求項３７に記載の方法。
【請求項４２】
昆虫を採集するための捕獲室と；該捕獲室と連通している入口と；該入口に接近している昆虫が該捕獲室の中に引き込まれるように、該入口を経由して該捕獲室の中に空気を取り込むように構成されている気流発生器と；昆虫を前記装置まで誘引するための少なくとも１つの誘引性物体であって、該誘引性物体が、乳酸の溶液であって該溶液がゲル化網状組織を形成することができ、しかも、該乳酸が該ゲル化網状組織に化学的には結合されていない前記の乳酸の溶液を含有している前記の少なくとも１つの誘引性物体と；を含む装置。
【請求項４３】
誘引性物体が、モノマーと水との水溶液を更に含有しており；しかも、該水溶液が、該モノマーの重合によってゲル化網状組織を形成することができ；しかも、該水が、該ゲル化網状組織に化学的には結合されていない；請求項４２に記載の装置。
【請求項４４】
溶液が、Ｌ−（＋）−乳酸を８８重量％含有している、請求項４２に記載の装置。
【請求項４５】
誘引性物体は、乳酸の放出を制御可能な状態で行なうように装置の内部に、設計されているか、構成されているか、又は配置されている、請求項４２に記載の装置。
【請求項４６】
放出は、ＣＯ２排気中に約２．０ｍｇ／時間〜約２０ｍｇ／時間の速度で行なわれる、請求項４５に記載の装置。
【請求項４７】
昆虫を採集するための捕獲室と；該捕獲室と連通している入口と；該入口に接近している昆虫が該捕獲室の中に引き込まれるように、該入口を経由して該捕獲室の中に空気を取り込むように構成されている気流発生器と；昆虫を前記装置まで誘引するための少なくとも１つの誘引性物体であって、該誘引性物体が
ａ）乳酸の溶液であって、該溶液がゲル化網状組織を形成することができ、しかも、該乳酸が該ゲル化網状組織に化学的には結合されていない前記の乳酸の溶液、並びに、
ｂ）モノマー及び水の水溶液であって、該水溶液が、該モノマーの重合によってゲル化網状組織を形成することができ、しかも、該水が、該ゲル化網状組織に化学的には結合されていない該水溶液、
を含有している前記の少なくとも１つの誘引性物体と；を含む装置。
【請求項４８】
（ａ）乳酸の溶液が、
(i) アクリル酸ナトリウムを３７．０重量％、
(ii)Ｌ−（＋）−乳酸を５９．６重量％、
(iii) ポリエチレングリコール６００ジアクリレートを２．４重量％、
(iv)ホスフィンオキシドを１．０重量％
含有する紫外線照射済み溶液を含有しており；しかも
（ｂ）水溶液が、
(i) アクリル酸ナトリウムを４７．０重量％、
(ii)Ｌ−（＋）−乳酸を３．４重量％、
(iii) ポリエチレングリコール６００ジアクリレートを３．４重量％、
(iv)ホスフィンオキシドを１．２重量％、及び
(v) 蒸留水を４５．０重量％
含有する紫外線照射済み溶液を含有している；請求項４７に記載の装置。
【請求項４９】
誘引性物体が、カートリッジの中に組み込まれている、請求項４８に記載の装置。
【請求項５０】
カートリッジが、少なくとも１つの穴を更に有している、請求項４９に記載の装置。
【請求項５１】
少なくとも１つの穴が、約０．０５インチ〜約０．２５インチの直径を有している、請求項５０に記載の装置。
【請求項５２】
少なくとも１つの穴が、約０．１インチ〜約０．２インチの直径を有している、請求項５１に記載の装置。
【請求項５３】
少なくとも１つの穴が、約０．１４インチの直径を有している、請求項５２に記載の装置。
【請求項５４】
昆虫を採集するための捕獲室と；該捕獲室と連通している入口と；該入口に接近している昆虫が該捕獲室の中に引き込まれるように、該入口を経由して該捕獲室の中に空気を取り込むように構成されている気流発生器と；昆虫を前記装置まで誘引するための少なくとも１つの誘引性物体であって、該誘引性物体が、乳酸を含有する第１のゲルを含有している前記の少なくとも１つの誘引性物体と；を含む装置。
【請求項５５】
誘引性物体が、水を含有する第２のゲルを更に含有している、請求項５４に記載の装置。
【請求項５６】
（ａ）第１のゲルが、
(i) アクリル酸ナトリウムを３７．０重量％、
(ii)Ｌ−（＋）−乳酸を５９．６重量％、
(iii) ポリエチレングリコール６００ジアクリレートを２．４重量％、
(iv)ホスフィンオキシドを１．０重量％
含有しており；しかも
（ｂ）第２のゲルが、
(i) アクリル酸ナトリウムを４７．０重量％、
(ii)Ｌ−（＋）−乳酸を３．４重量％、
(iii) ポリエチレングリコール６００ジアクリレートを３．４重量％、
(iv)ホスフィンオキシドを１．２重量％、及び
(v) 蒸留水を４５．０重量％
含有している；請求項５５に記載の装置。
【発明の詳細な説明】
【技術分野】
【０００１】
（関連出願に対する相互参照）
これは、２００２年５月８日に出願された米国仮出願シリアル第６０／３７８,３６９号に関する優先権を主張する。その米国仮出願明細書の内容は、言及することによってそっくりそのまま本明細書に組み入れる。
（１．発明の分野）
本発明は、飛ぶ昆虫(flying insects)［例えば、蚊(mosquitoes)；ヌカカ(no-see-ums)；及び、哺乳動物から発する汗及び息の諸成分に誘引される他の諸昆虫］を捕らえるための誘引性物体(attractant lures)に関する。
【背景技術】
【０００２】
（２．関連技術の記述）
毎年、蚊によって伝染する病気は、３００万人を超える死亡と３億人を超える臨床的ケースとの原因となっている。蚊によって伝染する病気の治療に関連する世界規模のコストは、何十億ドルにも達していると推定される。多くの地域において、蚊は、身体を衰弱させる病気（例えば、マラリア、黄熱病、デング熱、脳炎、西ナイルウィルス、睡眠病、フィラリア症、発疹チフス及びペスト）の主な伝播者(transmitters)である。蚊によって伝染する病気は、ヒトにもたらす疾患及び死に加えて、家畜の病気に起因し、畜産業に対する経済的損失の主な原因となっている。更に、蚊によって伝染する病気は、観光産業からの収入に依存する地域に、絶えず存在する懸念(concern；問題)を持ちかける。具体的に言えば、特定地域にそのような病気が存在することは、観光旅行者が観光目的地としてその地域を進んで選択することに関係するものと思われる。
旅行及び世界貿易が増大しているため、昆虫が媒介するこれらの病気の幾つかは、米国内地及び他の場所における健康上の重大な問題になることも予想されている。例えば、ヨーロッパ及び北アメリカの温暖な地域に西ナイルウィルスが出現していることは、この予想を支持している。それは、公衆衛生、ウマ及び動物の健康に対する脅威となっている。ホスト動物のウィルス感染によって、ヒト及びウマの脳炎；並びに、家畜及び野鳥の大量死；が生じることがある。
【０００３】
１９９５年、マラリアの風土病の事例は、カリフォルニア州及びニュージャージー州で記録され、また、デング熱の幾つかの事例は、南テキサスで診断された。１９９６年９月、前代未聞の数の蚊が、ロードアイランド州で見出だされ、東部ウマ脳炎(Eastern Equine Encephalitis)を伝染させた。試験の結果、捕獲された蚊１００匹のうち１匹は、３０％〜６０％の死亡率を持つ、この珍しい致死性ウィルスを運んでいることが分かった。ロードアイランド州におけるその状況は、非常に深刻であったため、政府は非常事態を宣言した。１９９７年、類似の状況がフロリダ州で生じ、セントルイス脳炎が突然に発生した。
デング熱は、蚊によって伝染するとりわけ危険な病気であって、益々世界的問題となっており、ヒトに悪影響を及ぼす最も重大な、蚊が媒介するウィルス性疾患としてのマラリアをまもなく凌ぐかも知れない病気である。デング熱の世界的分布はマラリアのそれに匹敵し、流行性伝染の危険のある地域に２５億の人々が住んでいると推定されている。毎年、何百万もの症例が生じており、何十万にも達する症例のデング出血性熱（ＤＨＦ）が診断されている。大抵の国におけるその症例の死亡率は約５％であり、大抵の致命的症例は子供の間に生じている。
【０００４】
最近まで、デング熱は、西半球では相対的に知られていなかった。１９７０年代、デング熱の流行が、キューバ及びカリブ海上諸島の他の地域を吹き荒れた。１９８１年、出血性熱を伴なう第２の血清型がキューバに発生した。その第２の流行によって、３００，０００件を超す出血性熱症例と、１０００人を超す死者とが生じる結果となり、その大半は子供であった。１９８６年までに、南アメリカの他の国々及びメキシコは、デング熱の著しい増大を認識し始めた。１９９８年の夏、バルバドス島に新たな発生が見られた。
アメリカ本土に関しては、中央アメリカにおいて１９９５年の最初の８ヶ月の間、出血性熱の３５２件の症例を含めて、２４，０００件に近いデング熱の症例が報告された。エルサルバドルは、１９９５年、その国においてこの病気が広範囲に渡って蔓延するという理由から、国家の非常事態を宣言した。メキシコでさえ、１９９５年、約２，０００件の症例を記録し、それの３４件には出血性熱が含まれている。全米保険機構は、全体で、南北アメリカにおいてほとんど２００，０００件に近い症例のデング熱と、５，５００件を超える症例の出血性デング熱とが存在していたことを報告した。
【０００５】
昆虫学は、米国に対するデング熱の脅威が増大していることを非常に懸念している。この懸念は、部分的には、最近現われた種であって、ヒトスジシマカ(Aedes albopictus)として知られている蚊に起因している。ヒトスジシマカ（それの明るい縞模様と、それが攻撃的に刺すこととに起因して“tiger mosquito”とも称される）は、米国では、１９８５年、テキサス州ハリス郡において、初めて発見された。その郡にはヒューストン市がある。歴史的に見ると、ヒトスジシマカは、アジアにおいてデング熱の主な伝播者であった。米国にヒトスジシマカが入ってきたのは、日本からの古いタイヤの船積み荷に足跡をたどることができる。東部ウマ脳炎ウィルスは、１９９１年、フロリダ州オーランドのディズニーワールド(Walt Disney World)の丁度１２マイル西方の山積みタイヤの中で見つけられたヒトスジシマカの群の中に発見された。１９９６年２月の時点で、ヒトスジシマカの確定された個体数は、２４の州で文書に記録されていた。
最も警戒すべきことは、ヒトスジシマカが、オハイオ州、ニュージャージー州及びネブラスカ州と同じくらい遥か北の諸州で生き残っている可能性が現在実証されたことである。ヒトスジシマカの卵は、黄熱病を伝染させるネッタイシマカ(Aedes aegypti)とは違って、非常に寒い冬季を生き残ることができる。結果として、ヒトスジシマカは、米国の要所の中に病気を伝染させる大きな可能性を持っている。ヒトスジシマカは、イリノイ州プラスキ郡では、厄介ものであり、危難を引き起こすものであることが既に証明されている。プラスキ郡では、その昆虫の刺す全回数は１分間当り２５回であった。米国中央地域(central United States)において、この種は、たいてい致命的疾病となるラクロス脳炎(La Crosse Encephalitis)の媒介と関連してきた。
【０００６】
吸血性の飛ぶ昆虫（例えば、蚊）はカイロモン(kairomones)に誘引される。カイロモンは一般的に、哺乳動物によって放出される代謝副生物である。嫌気代謝反応（例えば、激しい筋肉活性化）が起こる間、ＮＡＤＨによってピルビン酸塩が減少して乳酸塩を形成する。そのような活性化はまた、汗を生じさせる。汗は、その最も基本的な形態が乳酸の水溶液、尿素及びアンモニアである。乳酸は、哺乳動物の有機体から皮膚反応によって排出され、また、呼吸中に吐き出されるが、穏やかな近距離(close-range)カイロモンであり、とりわけ、ネッタイシマカにとってはそうであることが分かってきた。しかし、二酸化炭素（ＣＯ２）と組み合わされた場合、多数種の吸血性昆虫にとって長距離(long-range)カイロモンであり、乳酸は相乗効果を生じて、それに対する蚊の誘引力を著しく高める［例えば、スミス(Smith)等：Annals Ent. Soc. Am. ６３（３），第７６０頁〜７７０頁（１９７０）を参照。これの内容は、言及することによって、そっくりそのまま組み入れる］。
飛ぶ昆虫が嗅覚によってホストの後を追う能力は、彼等のアンテナの中の化学受容器(chemoreceptors)によって影響を受ける。変動長さの感覚錐(sensilla basiconica)が、アンテナの上に配置されていて、例えば、乳酸（短い感覚錐）、ＣＯ２（長い感覚錐）及び酪酸（短い感覚錐及び長い感覚錐）の感覚を識別する。乳酸に対する飛ぶ昆虫の誘引力は、濃度依存性であり、低濃度では誘引力は検出することができないし、高濃度に対して飛ぶ昆虫は実際反発する。ヒト肌上に典型的に見出だされる濃度の乳酸は、ネッタイシマカに対する確実な誘引性を示し、また、忌避剤としては作用しない。従って、諸昆虫は、可能性のある食餌を求めて目標を捜し出す場合、哺乳動物のホストから放出される代謝副生物（例えば、乳酸）を使用する。
【０００７】
異なる種(species)から放出される臭いは、飛ぶ昆虫に対する誘引性が異なり、個々の臭いの化学組成に左右されることがある。従って、ヒトの臭いを構成する諸化合物は、ネコ又はウシによって放出される臭いと比べて、飛ぶ昆虫に対していっそう魅力的である場合があり、そのような昆虫が捜し求めている優先的ホストの階層(hierarchy)が確立されている。特定のホストに対する、飛ぶ昆虫の個々の優先はまた、体温、分泌物の含水率によって、また、視覚的刺激によってさえ影響を受けることがある。化合物１−オクテン−３−オールは、ウシによって大量に生成され、反芻動物源に対して蚊を誘引することが知られている。ヒトでない動物からの臭い試料に乳酸を添加した物（１−オクテン−３−オールを含有する試料を包含する）は、蚊に対する誘引力を増大するように思える。このように、文献証拠は、乳酸が、飛ぶ昆虫の化学走性誘引物質(chemo-attraction)に含有される主要素であることを指摘している。
【０００８】
蚊の個体数を制御するための又は蚊を忌避するための多くの方法が、過去において提案されてきた。これらの幾つかの例は、以下に解説する。次の解説からよく理解されると思うが、これらの方法はそれぞれ、重大な欠点を有しており、それらの方法を非実用的又は効果なきものにしている。
蚊を抑制するための１つの周知の方法は、化学的殺虫剤［例えば、ＤＤＴ及びマラチオン(malathion)］を使用することである。一般に、２つのタイプの蚊殺虫剤、即ち、成虫用殺虫剤及び幼虫用殺虫剤を利用することができる。成虫用殺虫剤は、成虫段階まで成長した蚊を殺すのに使用される薬品である。蔓延している地域には、主に、航空機又は自動車から噴霧される。噴霧された薬品の効き目は、典型的には、風；温度；湿度；その時の日時；使用された薬品に対する特定の蚊の抵抗性；及び、特定薬品の基本的効き目；によって決まる。成虫用殺虫剤は、雨；潮汐の氾濫；又は、他の断続的な卵の孵化の引き金；によって生じる成虫の各々の世代に対して施す必要があり、また、典型的な効き目の時間は僅か半日である。従って、これらの薬品は、成虫の蚊と最大の接触が期待できそうな時間に施す必要がある。
【０００９】
一方、幼虫用殺虫剤は、水源に施して、幼虫が成虫蚊に成る前に幼虫を殺す。幼虫用殺虫剤は一般に、３種類：（１）水面に施される油であって、幼虫の呼吸を妨げ、このようにしてそれら幼虫を溺死させる該油、（２）幼虫を攻撃してそれら幼虫を殺すバクテリア様ＢＴＩ(Bacillus thuringiensis israelensis)、又は（３）幼虫が成虫段階に成長するのを妨げる化学的な昆虫成長調節剤、の１つの形態を取る。残念ながら、幼虫用殺虫剤は、しばしば、様々な季節に対してあまり効果的ではない。一例として、大抵の幼虫用殺虫剤は、短い有効期間を有しており、未熟な蚊が特定の成長段階にある間に水に施す必要がある。幾つかの種の蚊［例えば、木の穴で繁殖する蚊(tree-hole breeders)、根のある湿地で繁殖する蚊(root-swamp breeders)、及びガマの湿地で繁殖する蚊(cattail-marsh breeders)］は、幼虫では容易に制御されない。なぜなら、いずれの幼虫も、表面にやってこない（例えば、ガマの湿地で繁殖する蚊）か；又は、水源の位置を特定することが非常に困難であるので、幼虫用殺虫剤を経済的に施すことができない（例えば、木の穴で繁殖する蚊）からである。
【００１０】
先ず一例を挙げると、西ナイルウィルスを伝染させる蚊［アカイエカ(Culex pipiens)］は、ヒト周辺の溝、地下排水溝、植木鉢、小鳥の水浴び用水盤、等の中で生息し、繁殖する。このため、そのような区域を効果的に目標とすることが困難であることに起因して、幼虫用殺虫剤を噴霧することが非現実的となる。加えて、多くの人々は、彼等の家にそんなに接近して薬品を使用することに不快感を抱く。
それらの効き目、又はそれらが不足していることとは関係なく、米国と世界の両方において、化学的殺虫剤を使用することは、劇的に減少している。この減少の主な理由は、殺虫剤を使用することに関連して、潜在的な健康上の危険に関する公的認識が高まっていることである。具体的に言えば、ある種の薬品（例えば、ＤＤＴ）によって与えられた長期間に渡る健康上及び環境上の危険に関する一般社会の認識によって、米国及び他の諸国の多くの地域において、蚊を駆除するためにそれら化学的殺虫剤を使用することが禁止される方向に導かれてきた。加えて、蚊の間に殺虫剤抵抗性が増大しているために、従来の化学的駆除方法の有効性が減少しており、従って、環境衛生状の危険性が殺虫剤の利点より大きいという議論が強まっている。
【００１１】
自然界の食肉動物も、ある程度、蚊の個体数を制御する。例えば、ある種の魚及び（幼虫と成虫の両方としての）トンボは、蚊の幼虫及び成虫に対して捕食性であるように報告されている。加えて、ある種のコウモリ及び鳥もまた蚊を捕食することが知られている。蚊の個体数を制御する、環境上安全な手段として自然界の食肉動物に頼るべきであることは、ある人々（とりわけ、殺虫剤の使用に反対する人々）によって支持されてきた。蚊の個体数を効果的に制御するのに自然界の食肉動物を利用するという過去の努力は、残念ながら、効果がないことが証明された。例えば、１９２０年代、コウモリのための大きな塔(towers)に生息するコウモリが蚊の個体数を制御するであろうという大きな期待のもとに、米国南部の３つの都市に、これらの塔が建てられた。しかし、これらの塔は、その地域における蚊の個体数を十分に制御するのに効果はなかった。コウモリの胃内容物の調査により、蚊はコウモリの食餌源の１％未満を構成することが分かった。
【００１２】
多くの人々は、彼等の身体から又は一定の地域から蚊を引き離す忌避剤に頼っている。これらの忌避剤はそれらの性質のために、蚊の個体数を実質的に制御しない；その代わりに、それら忌避剤は、該忌避剤を使用する人に対して一時的な安心を提供しているに過ぎない。忌避剤は、局所用であるか又は航空機用である場合があり、とりわけ、ローション、スプレー、オイル（例えば、 “Skin-So-Soft”）、蚊取り線香(coil)、及びロウソク（例えば、シトロネラ油）を包含する多くの形態を取ることができる。最も一般的な忌避剤（ローション、スプレー及びオイル）は、衣服又は身体の上に使用されるものである。これら忌避剤の多くは、それ自体、蚊を実質的に「忌避」しない。もっと正確に言えば、ある種の忌避剤は、蚊のホストに蚊を誘引する諸因子（ＣＯ２、水分、暖かさ、及び乳酸）を単に覆うだけである。これらの忌避剤は、かなり安価であるが、しばしば不快な臭いを有しており、脂ぎっており、しかも、限られた期間のみ有効である。ＤＥＥＴ（Ｎ,Ｎ,ジエチル−ｍ−トルアミド）、又は２−エチル−１,２−ヘキサンジオールを含有する忌避剤は、一定期間の後、蚊に対して実質的に誘引性となることも分かった。従って、忌避剤を使用する場合、保護期間が経過してしまった時、それら忌避剤を洗い落とすか、又は新たな忌避剤を再び施すことが望ましい。
【００１３】
多くの忌避剤は、不快であることに加えて、それら忌避剤が引き起こすかも知れない、潜在的な長期に渡る健康上の危険に関する詳細な精密調査が行なわれている。ＤＥＥＴは、利用することのできる最善の忌避剤であるように多くの昆虫学者は考えているが、３０年以上の間、市場で売られて来たものであり、しかも、周知の多くの市販のスプレー及びローションの主要成分である。ＤＥＥＴは、長期に渡り広範囲に渡って使用されてきたにもかかわらず、米国環境保護庁（ＥＰＡ）は、ＤＥＥＴは、ガン、先天性欠損症、及び生殖に関する問題を引き起こす恐れがあると考えている。米国環境保護庁は、１９９０年８月、消費者公報(consumer bulletin)を公布した。その中には、母集団の小部分はＤＥＥＴに敏感である場合があることが述べられている。（とりわけ、幼い子供に対する）反復施用はときどき、頭痛、気分の変化、混乱状態、吐き気、筋肉の痙攣、発作、又は無意識を引き起こすことがある。蚊取り線香は、蚊を忌避するための手段として長年販売されてきた。これら蚊取り線香は、燃えて、忌避性煙を発する。約２０年前に製造された製品［例えば、急襲蚊取り線香(Raid Mosquito Coils)］には、薬品アレスリン(allethrin)が含有されている。最近の製品（OFF Yard & Patio Bug Barriers）には、薬品エスビオスリン(esbiothrin)が含有されている。これらの製品は、蚊の活動性を幾らか軽減することがあるものの、それら製品は、ある地域における蚊の数を減少させない。加えて、それら製品はまた、周りに煙及び薬品を放出する。更に、微風でさえ、煙及び薬品は広い面積に渡って分散し、希釈され効き目が弱くなり、そうなることによって、それら製品の潜在的効果は減少する。
【００１４】
多くの人々は、蚊を忌避する場合のシトロネラ油(citronella)の利点を、ロウソクの形態、植物の形態、香(incense)の形態、又は他の構造の形態であろうとなかろうと、大げさに宣伝してきた。最近の研究によると、シトロネラ油ベースの製品は、蚊を忌避する場合ごく穏やかな効果であり、しかも、保護すべき領域の周りにロウソクが３フィート毎に配置されているときのみであることが分かってきた。この取り扱いは、保護すべき領域の周りにプレーンキャンドル(plain candles)を燃やすことに比べて、ほんの僅かにより効果的であったにすぎない。実際、ロウソクを燃やせば空気中のＣＯ２の量が増大し、該領域内の蚊の数を減らすどころか、いっそう多くの蚊を一般領域の中に引き寄せるものと思われる。これらの欠点があるにもかかわらず、現在のシトロネラ油ベース製品の市場は非常に大きい。
１９７０年代に導入された、通常「バクザッパー(bug zappers；マイクロ波昆虫駆除装置)」と称されている、なじみの「ブラック・ライト(black-light)」感電死装置は、当初、商業的に成功した。蚊を殺すことについては全体として効果はないが、バクザッパーは、毎年２００万セットの流通率で売れている。これらの装置に蚊を殺す能力がないことは、学問的研究により；また、多くのバクザッパー所有者の個人的経験から；証明されてきた。具体的に言えば、マイクロ波駆除装置は蚊を誘引しないため、それら装置は蚊を殺さない。これらの装置は、明かりに誘惑される昆虫を単に引き付けるだけであり、それは蚊に関する事例ではない。
【００１５】
ウィグトン(Wigton)等（米国特許第６,１４５,２４３号明細書。その米国特許明細書の内容は、言及することによって、そっくりそのまま本明細書に組み入れる）は、ロードアイランド州イーストグレニッチのアメリカン・バイオフィジックス社(American Biophysics Corporation)によって開発された昆虫捕獲装置を開示する。ウィグトン等は、蚊及び他の飛ぶ昆虫を装置の入口の方に誘引するためのＣＯ２の流れを発生させる該装置の基本的構造を開示している。ＣＯ２により誘引されたそれら昆虫は、真空によって、該入口を通って捕獲室の中に吸い込まれる。捕獲室は、使い捨て可能な網状袋であって、その中で蚊が脱水される該袋を備えている。該袋が一杯になったとき、取り外して取り換えることができる。
ウィグトン等に開示される装置は、アメリカン・バイオフィジックス社にとって商業的には成功しているが、本出願の発明者らによって製品開発のための更なる努力によって、製造コストを低減すること；及び、ウィグトン等の装置の作動効率；に向けられている数多くの改善がもたらされて来た。これらの改善の結果として、該装置の効率が増大し、同時に、本出願の装置の原価構造を低減することが可能となり、そうなることによって、平均的消費者にいっそう広く応えられる技術が創られている。この技術が広範囲に渡って使用される付加的効果は、蚊及び他の飛ぶ昆虫の個体数のいっそう優れた駆除(control)を行なうのに役立ち、ひいては、昆虫によって伝染される病気の減少事件に役立つものと信じる。
【００１６】
他の諸装置［例えば、ブリティン(Brittin)等（米国特許第６,２０９,２５６号明細書。その米国特許明細書の内容は、言及することによって、そっくりそのまま本明細書に組み入れる）に開示されている蚊捕獲装置］は、ＣＯ２と、飛ぶ昆虫を誘引してそれらを殺すための他の誘引性物体との組み合せを採用している。ブリティン等は、化学的誘引性物体によって強化される捕獲性媒体を提供する。飛ぶ昆虫は、その媒体から放出されるＣＯ２によって該装置に誘引される。昆虫は、該装置のハウジングに入った時、ファンによって捕獲性媒体の中に吹き飛ばされ、それら昆虫は該媒体の中に吸い込まれる。捕獲性媒体は、１種以上の誘引物質（例えば、乳酸）を含有して、昆虫をいっそう良好に誘引して殺すことができる。（２００２年４月３０日の時点における）http:www.allnaturessafeway.comに開示された類似の装置［The mosQUITo（登録商標）撲滅器(Eradicator)］は、捕獲性媒体の中に乳酸と、オクテノール誘引性物体との組み合せを採用している。これらの装置の主な欠点は、捕獲性媒体それ自体であり、該捕獲性媒体は、それの開放型捕獲トレーから漏れるか又ははね散り、そうなることによって、その中に含まれている薬品及び昆虫を使用者にさらす。更に、該捕獲性媒体トレーは、周期的に清浄化する必要がある。加えて、この装置内に捕獲された昆虫は、生体研究を行うためには適さない。
【発明の開示】
【発明が解決しようとする課題】
【００１７】
ブリティン等によって開示される形態の誘引性物体の、非常に最も重大な欠点は、誘引物質を経時的に安定して放出することができないことである。ブリティン等の開放型トレーの設計は、化学的誘引性物体が無秩序な状態で散逸する大きな表面積を与える。当初、大量の誘引性物体が大気中に放出され、そうされることによって、急速に減少する。非常に揮発性の誘引性化合物は、とりわけ、そうである。捕獲装置に飛ぶ昆虫を誘引するのに十分なレベルの誘引物質を供給するためには、およそ数日で、新たな誘引性液体を必要とするかも知れない。
従って、当該産業界には、飛ぶ昆虫を誘引する装置であって、その中の誘引物質が、人類、及び家庭のペット類にとって比較的無毒性であり；該誘引物質が、安定した一定速度で発生し、且つ、長い有効寿命を有している；該装置に対する必要性が存在する。
【課題を解決するための手段】
【００１８】
（発明の概要）
本発明の１つの面は、ＣＯ２の供給源を備えている、飛ぶ昆虫を捕獲する装置に向けられている。
本発明のもう１つの面は、現場で(in situ；その場で)ＣＯ２を生成するための触媒要素であって、飛ぶ昆虫を誘引する構造の１種以上の生化学的誘引性物体と併せて使用される該触媒要素に向けられている。
本発明のもう１つの面は、飛ぶ昆虫の誘引及び／又は排除を行なう装置であって、その中では昆虫の誘引及び／又は排除を行なう化合物が絶えず均一に放出されている該装置に向けられている。
【００１９】
本発明のもう１つの面は、従来の昆虫排除性組成物に比べて、毒性が実質的にいっそう低い生化学的誘引性物体(biochemical lures)を提供することに向けられている。
本発明のもう１つの面は、飛ぶ昆虫の誘引及び／又は排除を行なうために乳酸を使用する方法に向けられている。
本発明のもう１つの面は、紫外線硬化性水溶液とＬ−（＋）−乳酸の混合物が紫外線放射下でゲル化網状組織(gelling network)を形成するようなやり方で、紫外線硬化性水溶液と混合したＬ−（＋）−乳酸を使用する方法に向けられている。
【００２０】
本発明のもう１つの面は、飛ぶ昆虫の誘引及び／又は排除を行なうための装置であって、Ｌ−（＋）−乳酸のゲル層及び水性ゲル層(water-gel layer)を含有している該装置に向けられている。
本発明のもう１つの面は、Ｌ−（＋）−乳酸のゲル溶液及び水性ゲル溶液(water-gel solution)を含有している、飛ぶ昆虫を誘引するための誘引性物体であって、（ａ）該Ｌ−（＋）−乳酸のゲル溶液が、アクリル酸ナトリウムを２０重量％〜５０重量％、Ｌ−（＋）−乳酸を５０重量％〜７５重量％、ポリエチレングリコール６００ジアクリレートを１重量％〜５重量％、ホスフィンオキシドを１重量％〜３重量％、更に含有しており；且つ（ｂ）該水性ゲル溶液が、アクリル酸ナトリウムを３０重量％〜７０重量％、Ｌ−（＋）−乳酸を２重量％〜６重量％、ポリエチレングリコール６００ジアクリレートを１重量％〜５重量％、ホスフィンオキシドを０．５重量％〜２重量％、及び蒸留水を３０重量％〜７０重量％、更に含有している；該誘引性物体に向けられている。
【００２１】
本発明のもう１つの面は、飛ぶ昆虫を誘引するための誘引性物体を調製する方法であって、乳酸の溶液と第１の紫外線反応性化合物とを紫外線に当てる工程を包含する該調製方法に向けられている。
現場で(in situ)ＣＯ２を生成するための装置と；該ＣＯ２を放出するための排出口と；飛ぶ昆虫を導き入れるための吸込み口と；昆虫を捕獲するための該吸込み口と連通しており、該吸込み口から入ることのできる室と；乳酸の溶液及び第１の紫外線反応性化合物を更に含有している少なくとも１つの誘引性物体と；を備えている、飛ぶ昆虫を誘引するための装置。
これから説明する詳細な記述を、この開示内容の一部であり且つ本発明の原理を一例として説明している諸添付図面と併せて考慮したとき、本発明の他の面、特徴及び利点は、その詳細な記述から明らかになるであろう。
【発明を実施するための最良の形態】
【００２２】
（詳細な記述）
本明細書で使用する用語「生化学的誘引性物体(biochemical lure)」は、ヒト滲出液（例えば、汗及び創傷液）の誘引性特徴をまねている誘引物質を有する、液体、ゲル又は固体の化学製剤を意味するように意図されている。そのような生化学的誘引性物体は、単離された天然化合物（例えば、乳酸の異性体）であってもよいし；或いは、ヒト滲出液の成分の誘引性特徴を示すように工学技術で設計された合成化合物でであってもよい。そのような誘引物質は、例えば、タンパク質含有化合物及び有機酸である場合がある。
本明細書で使用する用語「視覚的誘引性物体(visual lure)」は、飛ぶ昆虫であって、ＣＯ２のもくもく立ち昇る煙(plume)を通って、飛ぶ昆虫捕獲装置(flying insect trapping device)の近辺まで誘引されて、昆虫引き入れ口の近くを飛ぶ該飛ぶ昆虫を視覚によって誘引するように配置され構成されている装置(device)を意味するように意図されている。視覚的誘引性物体は、ホスト哺乳動物を目標とするのを利用して、飛ぶ昆虫に対する視覚的刺激(visual cues)を模倣するように設計された、色と幾何学的特徴の両方が組み合わされている。
【００２３】
生化学的誘引性物体は、飛ぶ昆虫を誘引することのできる化合物である。該生化学的誘引性物体は、自然に放出される化合物の量が制御されるように、工学技術で設計され構成されており、それによって、昆虫を効果的に捕獲するための分散される誘引物質の安定濃度が確保される。誘引性物体は通常、周囲温度と、湿度と、ＣＯ２の排出速度と、誘引性化合物の揮発度との間の相関関係に基づいて、大気中への放出を制御しながら、非常に効果的な生化学的誘引物質を供給するように造られている。
本発明の好ましい具体例において、生化学的誘引性物体は、比較的無毒性であるか又は伝統的殺虫剤と比較して減少した毒性を示す少なくとも１種の誘引性化合物であって、哺乳動物系によって放出される、天然の昆虫誘引物質を模倣するように配合されている該誘引性化合物を含有している。諸有機酸及びそれらの誘導体は、この点で適切な模倣物である。複数の誘引物質の混合物もまた使用することができる。これらのカイロモン(kairomones)は、天然に見出だされる天然化合物であってもよいし、或いは、工学技術で設計して合成してもよい。
【００２４】
適切な有機酸及びそれの誘導体の一例は、遊離酸形態の乳酸、乳酸の塩、及びそれらの組み合せである。乳酸アンモニウムは、本発明による誘引物質として使用するのに適した乳酸塩である。アンモニア、尿酸、酪酸、ジメチルジスルフィド、２−フェニルエタノール、及びそれらの誘導体もまた、多くの飛ぶ昆虫に対する好ましい誘引物質である。種々の化合物が、カイロモンであると認められている［パーク(Park)等：Ｊ．Ｉｎｓｅｃｔ  Ｐｈｙｓｉｏｌ．，４５，第８５頁〜９１頁（１９９９）を参照。これの内容は、言及することにより、本明細書にそっくりそのまま組み入れる］。誘引性物体は、特定地域にはびこることが知られている何種類かの飛ぶ昆虫をとりわけ誘引する配合とすることができる。
本発明の１つの面において、誘引物質はＬ−（＋）−乳酸であり、単独で；又は、追加的な誘引性物体度組み合わせて；用いる。もう１つの具体例において、Ｌ−（＋）−乳酸は、乳酸カルシウムとの混合物として、併用することができる。もう１つの具体例において、Ｌ−（＋）−乳酸は、アンモニア（例えば、水酸化アンモニウムの水溶液）と併用することができる。１種以上の生化学的誘引性物体は、トラップ(trap；捕獲装置)の内部に単一供給源に混合物として収めて用いるか、トラップ内部の複数の別々の供給源から用いるか、或いは、トラップと関連する別の方法で用いることができる。
【００２５】
生化学的誘引性物体は、本明細書に記述する昆虫捕獲装置と一緒に使用するための液体又は固体として配合することができる。固体誘引性物体は、粉末形体であるのが好ましく、また、圧搾又は成形を行なって種々の形状［例えば、レンガ(bricks)、プラグ(plugs)又はペレット］にすることができる。放出速度が制御される固体の昆虫用誘引性物体が好ましい。好ましい具体例では、粉末化したＬ−（＋）−乳酸を圧搾して弾丸状のものにする。誘引物質は、空気又はガス流（好ましくは、昆虫捕獲装置からの温かい湿ったＣＯ２排出流）にさらされたとき、固体の誘引性物体から放出される。
液体の誘引性物体は、キャリヤ［例えば、多孔性の棒又はフリット(frits)］の上に含浸させることができる。該誘引性物体は、続いて、空気にさらしたとき、誘引物質を放出する。液体の生化学的誘引物質を、放出し得るように保持することができる適切なキャリヤであれば如何なるものでも使用することができる。キャリヤフリット１ｇ当り約３．５ｇ〜約４．５ｇの濃度の液体乳酸は、周囲空気温度より約７ｏＦ高い（好ましくは、周囲空気温度より３ｏＦ〜５ｏＦ高い）温度でＣＯ２排出流にさらしたとき、適切な屋外昆虫用誘引物質を生じる。これらの濃度は、特定の環境に対して最適化することができる。
【００２６】
液体の生化学的誘引物質は、カートリッジの中に装填して、昆虫捕獲装置を取り囲んでいる大気への該誘引物質の放出速度をいっそう良好に制御することができる。誘引性物体から生化学的誘引物質を放出する速度は、温度に正比例する；即ち、放出速度の増大は、周囲温度を高めることによって達成することができる。ＣＯ２排出煙の温度は、所定の周囲条件下、捕獲装置からの誘引物質の放出を高めるのに必要である通りに調整することができる。
液体及び固体の誘引性物体から生化学的誘引物質を放出することは、昆虫を誘引する効果的濃度を、数日間〜数週間の期間に渡って達成するための重要な面である。約２ｍｇ／時間〜約２０ｍｇ／時間の、誘引物質の放出速度が効果的であり、好ましくは約４ｍｇ／時間〜約１５ｍｇ／時間の範囲に及ぶ。放出速度はいっそう好ましいのは、約６ｍｇ／時間〜約１０ｍｇ／時間であり、また、放出速度は最も好ましいのは、約１０ｍｇ／時間である。単一の誘引性物体の中で用いる生化学的誘引物質の量は、該誘引性物体の寸法及び形状と、選定する配合物と、該誘引性物体のために予想される周囲条件とによって変化することがある。
【００２７】
放出速度は、特定の生化学的誘引性物体を用いて特定種の飛ぶ昆虫を効果的に捕獲するように調整することができる。非常に揮発性である幾種類かの誘引物質は、該化合物の揮発を減少させて誘引性物体の効き目が早期に喪失するの妨ぐように設計された幾何学的形状の誘引性物体を使用することができる。対照的に、他の比較的不活性な生化学的誘引物質は、雰囲気又はＣＯ２流れの中へ分散するのを促進するために、加熱又は他の反応を必要とすることもある。本質的に揮発性を示さない化合物は、効果的な昆虫誘引を達成する点で、制御するのはいっそう困難である。
液体及び固体の生化学的誘引性物体を保持するために選ばれるハウジング(housings)は、特定の生化学的誘引性物体が、空気又はガスの流れ（例えば、ＣＯ２排出流）に対する最も望ましい曝露に調和するように選定することができる。そのようなハウジングは、調整可能な複数の開口を有することがあり、それによって、誘引物質の分散速度を比較的細かく調整することができる。例えば、誘引性物体を、ある生化学的誘引物質が特定の速度で放出されるように選定して設計し、病気を運ぶ特定種の昆虫を誘引することができる。好ましいハウジングは、複数の放出排出口を有する管状バスケットに類似するように配列し設計することができる。ハウジングバスケット(housing basket)は、端末キャップを有することがある。本発明による誘引性物体用ハウジングは、約２ｍｇ／時間〜約２０ｍｇ／時間の速度で誘引物質を放出することが可能なように設計するのが好ましく、また、生化学的誘引性物体がさらされる排出ガス流量に基づいて設定される。
【００２８】
本発明の１つの面において、生化学的誘引性物体は、適切な生物分解性ポリマーを配合して、特殊な三次元構造の形状を帯びた物品に成形することができる。そのような生物分解性ポリマーは、時間が経てばランダム加水分解(random hydrolysis)によって分解される。成形済み生物分解性ポリマーが腐食するにつれて、該成形済み物品から新たな生化学的誘引物質が連続的に放出される。生化学的誘引性物体は、完全な分解及び腐食により、廃棄し易く環境に優しい(environmentally friendly；環境を考慮した)化合物が生成されるような具合に選定することができる。例えば、ポリ（Ｌ−（＋）−ラクチド）、ポリグリコリド、及びポリ（ラクチド−コ−グリコリド）の生物分解性ポリマーは分解して、それぞれＬ−（＋）−乳酸、グリコール酸、並びにＬ−（＋）−乳酸及びグリコール酸を形成する。
分解速度は、空気の流れにさらされる誘引性物体の表面積の大きさ次第で、少なくとも数週間〜数ヶ月以上の範囲で変化することがある。空気の流れは、生化学的化合物の性質と、該誘引性物体を使用する予定環境とに基づいて選定する。分解速度は、使用するポリマー又はコポリマーの組成を変えることによって；また、該誘引性物体の幾何学的形状を、ＣＯ２若しくは類似のガス流にさらされる表面積が増大するか又は減少するように調整することによって；容易に制御される。通常、無定形のポリマー及びコポリマーは、半結晶性ポリマーよりも速く分解する。
【００２９】
本発明のもう１つの面において、生化学的誘引性物体は、少なくとも１種の生化学的誘引物質を適切なポリマーと一緒に同時射出成形を行うことによって調製し、誘引物質が注入された成形品を形成する。そのようなおとり付き(baited)成形品は、時間の経過と共に生化学的誘引物質を確実に放出するのに必要な最大限の表面積を与えるように成形することができる。いっそう好ましい具体例において、該射出成形工程はまた、ガスを導入することを包含し、それによって、成形品内部に複数の穴(holes)のマトリックスを創り出す。これらの穴によって、ガス流（例えば、ＣＯ２排出流）は成形品を通って流れることが可能となり、そうなることによって、その中に包含されている生化学的誘引性物体からの放出が高まる。そのような設計によって、比較的弱い昆虫誘引物質を、該誘引性物体から連続速度で放出することが可能となり、該誘引物質を機能するレベル(functional level)で長期間に渡って散乱させることができる。
【００３０】
生化学的誘引性物体の射出成形によると、該誘引性物体と該誘引性物体を包含しているハウジングの間の機械的インターフェース(mechanical interface)を与えている一体部分(integral parts)と一緒に該誘引性物体を製造することも可能となる。そのような機械的インターフェース［例えば、フック(hooks)、ラグ(lugs)、留め金具(snap fittings)等］によって、誘引性物体は特定のハウジングに適合するように調整される。そのようなハウジングは、所定の市場で；又は、特定の捕獲装置と一緒に；取り扱えるように指定することができる。このように、誘引性物体は、環境条件；及び、特定の地理的領域に関連する飛ぶ昆虫の種類；のために具体的に設計することができる。これら市場仕様の生化学的誘引性物体は、最終需要者(end users)の昆虫捕獲装置を、購入後に生じる必要性に合わせて選択できるようにするので有用であろう。
本発明のもう１つの面において、生化学的誘引性物体は、ＣＯ２を発生させるための可燃性燃料を含有している燃料供給源と一緒に使用するように構成されている昆虫捕獲装置に取り付けることができる。１つの面において、その昆虫捕獲装置は、支持用フレームと；該支持用フレームに支持されている昆虫捕獲室と；該支持用フレームに支持されている燃焼装置と；諸昆虫を該昆虫捕獲室に向かって生化学的に誘引するように配置され構成されている昆虫誘引性物体と；を備えている。その燃焼装置は、燃料供給源と連結するための入口と；排気口と；該入口を該排気口に連通している燃焼室と；を備えている。その入口は、燃料供給源からの燃料が燃焼室の中に流れ、その中で連続燃焼して、該燃焼室内部に排気ガスが発生するのを可能にする。
【００３１】
その燃焼室は、連続燃焼が起こる地点の下流にある該燃焼室の内部に配置される触媒要素を更に備えている。この触媒体は、触媒作用が活性な物質であって、稼動中、排出ガス中の一酸化炭素をＣＯ２に転化する該物質を含有している。ＣＯ２排出ガスと化学的誘引物質の組み合わせは、哺乳動物によって放出される化合物であって飛ぶ昆虫がホストを捜し求めているときに検出する該化合物によく似ている。そのような特徴は、同時係属出願の米国特許出願シリアル第１０／２６４２６０号明細書に記述されている。この米国特許出願明細書は本明細書にそっくりそのまま組み入れる。
排出口はフレームに支持されており、燃焼装置の排気口と連通している。該排気口は、排気ガス中のＣＯ２に誘引される昆虫が排出口の方に飛ぶように、排気ガスが排出口を通って上向きに流れるのを可能にする。昆虫入口もまた、フレームに支持されており、排出口に隣接している。昆虫入口は、飛ぶ昆虫が昆虫入口を通って昆虫捕獲室に入れるように、昆虫捕獲室と連通している。昆虫入口と連通している真空装置は、昆虫入口を通って排出口に誘引され、次いで、昆虫捕獲室の中に誘引される昆虫を吸い込むように構成され配置されている。昆虫が昆虫入口に誘引されるのを高めるために、昆虫捕獲室の昆虫入口の所又は昆虫入口の近辺に、生化学的誘引性物体を有する容器を取り付ける。
【００３２】
本発明のこの具体例の利点は、昆虫誘引性のＣＯ２を生成するための触媒体と；制御された放出速度で誘引物質を連続的に供給するように配置され構成された生化学的誘引性物体と；を提供することである。そのような配置は、昆虫を誘引するためにＣＯ２のみに依存する昆虫捕獲装置よりも優れた改善点である。なぜなら、昆虫は、昆虫捕獲室の中に捕獲するための昆虫入口の中に吸い込まれるべく該昆虫入口の十分近くを飛ぶことなく、排出口から発散されるＣＯ２のもくもく立ち昇る煙(plume)を目標とすることがあるからである。本発明による生化学的誘引性物体を含有すれば、演繹的には(a priori)予想されない一定レベルの相乗効果が達成されて、該誘引性物体に誘引される昆虫を捕獲するときの昆虫捕獲装置の有効性が実質的に増大する。
本明細書に記述する本発明の諸面の諸具体例において、生化学的誘引物質は、単独で利用するか、又は、飛ぶ昆虫を誘引することが分かっている１種以上の物質と組み合わせて利用することができる。このように、２種以上の昆虫誘引性成分の組み合わせ（例えば、少なくとも１種の生化学的誘引性物体及び／又は１種以上の視覚的昆虫誘引性物体と併せたＣＯ２）を使用することができる。視覚的昆虫誘引性物体を使用して、飛ぶ昆虫に対する捕獲装置の誘引力を、相乗効果を引き起こすように高めるのが好ましい。とりわけ、視覚的昆虫誘引性物体は、特定種の飛ぶ昆虫を誘引するように合わせた視覚的刺激(visual cues)を与えるように選定することができる。そのような視覚的刺激は、少なくとも２種類の比較的大きい、コントラストの強いカラード・フィールド(colored fields)を与えるように構成することができる。該視覚的刺激は、艶のある黒色表面；高光沢の鏡映銀色表面；又は、マゼンタ(magenta)及び銀色のフィールド；の１つ以上を有していることがいっそう好ましい。そのような視覚的誘引性物体は、約５０：５０〜約７０：３０の比のマゼンタ：銀色のフィールドを有することがある。マゼンタ：銀色の比は、約６０：４０〜約７０：３０であるのが好ましい。
【００３３】
視覚的誘引性物体は、捕獲装置に取り付けられる幾何学的形状であって、特定種の飛ぶ昆虫をとりわけ誘引するように選定された該幾何学的形状に作ることができる。例えば、視覚的誘引性物体は、湾曲と平面との組み合せを有することができる。着色された球面と円錐状の物とは、ある種の飛ぶ昆虫にとって誘引性があることが実証された。しかし、多くの形状は、昆虫に対して色誘引物質(color attractants)の表面積を最大限にするように設計することができ、そうすることによって、感受性のある飛ぶ昆虫が捕獲装置まで誘引される。
諸視覚的誘引性物体はまた、調和した統一体を構成するように組み合わせて、捕獲装置の機能的又は構造的特徴にすることもできる。このように、視覚的昆虫誘引性物体は、１つ以上の着色済み昆虫捕獲要素（例えば、スタンド脚、捕獲ユニットのハウジング、排出口のノズル、及び昆虫取入れ口）の少なくとも一部分を有することができる。例えば、捕獲装置は、マゼンタ部分及び銀色部分を有するように成形された昆虫取入れ口のノズルを有することができ、それの色彩配合(color scheme)は、意外にも、優れた昆虫誘引性能力を示した。そのような取入れ口ノズルは、１種以上の生化学的誘引性物体とＣＯ２排出煙(exhaust plume)を組み合わせると、非常に大きい昆虫捕獲総数を持つ、飛ぶ昆虫捕獲装置を提供する。
【００３４】
図１は、２相の水性ゼラチン様ルレックス(Lurex)の製法を示す流れ図である。ルレックスは、主成分が食品用Ｌ−（＋）−乳酸の水溶液である蚊誘引物質の商品名である。それは、蚊［とりわけ、ヒトスジシマカ(A. albopictus)］に対する優れた誘引性を有している。ルレックスは、蚊マグネット(Mosquito Magnet)（登録商標）捕獲器中で３〜４週間、比較的大きい速度でＬ−（＋）−乳酸を放出することができるように配合されている。
ルレックスを形成するために、Ｌ−（＋）−乳酸を紫外線硬化性水溶液と混合すると、溶液全体は、紫外線下、ゲルネットワーク(gelling network)［Ｌ−（＋）−乳酸ゲル］を形成する。Ｌ−（＋）−乳酸と形成されたゲル構造の間に化学的結合は全く存在しない。換言すれば、Ｌ−（＋）−乳酸とゲルネットワークの間に化学結合は全く存在しない。従って、Ｌ−（＋）−乳酸を、環境温度により、所望の速度でＬ−（＋）−乳酸ゲルから自由に放出することができる。ルレックスのカートリッジ(cartridge；小容器)内では、Ｌ−（＋）−乳酸ゲルの下に水ゲル層を置く。この水ゲル層は、所要放出速度と所要放出時間とを維持するために、Ｌ−（＋）−乳酸ゲルに連続的に水を供給する貯水器として役に立つ。表１は、ルレックスの製造に使用した薬品を示す。
【００３５】
2005524708.tif 000002
【００３６】
マサチューセッツ州のＵＦＰテクノロジーズ社(Technoilogies, Inc.)で真空成形及び熱シール法によりカートリッジを作るために、透明なＰＥＴ（ポリエチレンテレフタレート）の膜を使用する。該カートリッジは、ルレックスの担体であり、該カートリッジの上面の１個又は複数個の穴を通し、一定速度でＬ−（＋）−乳酸を放出することができる。穴の大きさ及び数によって、カートリッジからのＬ−（＋）−乳酸の放出速度が制御される。本発明の１つの具体例において、カートリッジの表面には１個の穴が存在し、該穴の大きさは、直径が０．１４インチである。カートリッジの放出表面を密封するのに、アルミニウム箔及び熱シール可能なプラスチック膜で構成されている複層テープを使用する。
ルレックスを製造するのに使用する装置は、薬品溶液を調製するのに用いるガラス器具及び金属容器；圧縮空気を原動力とする混合機；ｐＨメータ；薬品溶液をカートリッジの中に分配するためのディスペンサー(dispernser)；紫外線硬化用装置［例えば、フュージョン・ユーブイ・システムズ社(Fusion UV Systems, Inc.)製のＦｕｓｉｏｎ  Ｆ３００Ｓ−６。これは、紫外線ランプ及び輸送装置を備えている］；並びに、（カートリッジの表面に熱シール可能なテープを施すための）熱シール機；を備えている。
【００３７】
ルレックスを製造するために、先ず、アクリル酸ナトリウム溶液を調製する。アクリル酸ナトリウムは紫外線硬化性水溶液の一例であり、アクリル酸ナトリウムとルレックスとの水溶液は、加熱の下又は紫外線下、二官能性又は三官能性の架橋剤［例えば、ＳＲ６００（これは、二官能性架橋剤の一例であり、その分子中の２個の二重結合が官能基である）］と反応するとき、ゼラチン様構造を形成する。ルレックスを製造するとき、市販のアクリル酸ナトリウムを用いることができる。代替的には、水酸化ナトリウム及びアクリル酸であって、両方とも多種多様な製造者から容易に入手することのできるものの反応によってアクリル酸ナトリウムを調製することができる。
表２に、アクリル酸ナトリウム溶液（蒸留水中、３５．５重量％）を調製するのに使用する出発材料の量を示す。水酸化ナトリウムとアクリル酸の反応は、水酸化ナトリウム及びアクリル酸の等モルが反応して、アクリル酸ナトリウムと水とを形成する、単純な塩基−酸中和である。反応の終了は、諸反応物の量と、反応している溶液のｐＨ値の変化とを制御することによって決定する。新たに調製したアクリル酸ナトリウムの水溶液（３５．５重量％）のｐＨは、８〜９の間であった（ｐＨ紙を用いて決定した）。水酸化ナトリウムとアクリル酸の両方とも強い腐食性であり、その反応は高発熱性であり、その反応は冷水浴中で行うことが好ましい。しかし、アクリル酸ナトリウムの製法であれば如何なる製法も、本発明の範囲にある。
【００３８】
2005524708.tif 000003
【００３９】
水酸化ナトリウムのフレーク(flakes)（４０ｇ）を蒸留水（１５３．０ｇ）に溶解して、水酸化ナトリウム溶液を作り；次いで、撹拌しながらアクリル酸（７０ｇ）に徐々に添加する。最終溶液のｐＨは、ｐＨ計で決定した。３５．５重量％の濃度を有する最終溶液中に、アクリル酸ナトリウム（９４．０ｇ）が形成された。
また、光開始剤（例えば、Irgacure ６５１溶液）は、アセトンに固体Irgacure ６５１を溶解し；表３に示す量に従ってボトル中の溶液を密封する；ことによって調製する。これらの量で、Irgacure ６５１溶液（アセトン中１８．２重量％）を生成する。
【００４０】
2005524708.tif 000004
【００４１】
ルレックス誘引性物体は、（カートリッジの頂部における）Ｌ−（＋）−乳酸ゲルと、（カートリッジの底部における）水ゲルとを含有する二相構造を有するのが好ましい。Ｌ−（＋）−乳酸ゲル及び水ゲルの組成は、図３に示すように様々である。Ｌ−（＋）−乳酸ゲル及び水ゲルを調製するために、先ず、容器の中でアクリル酸ナトリウム溶液を撹拌し、それに、（必要ならば）水、Ｌ−（＋）−乳酸、ＳＲ６１０、及びIrgacure６５１を、その順序で添加する。記述される量と手順とが好ましいが、類似のＬ−（＋）−乳酸ゲル及び水ゲルを創り出すために、別の量と手順とが可能であることは、当業者によってよく理解される。
【００４２】
2005524708.tif 000005
【００４３】
カートリッジ中のＬ−（＋）−乳酸ゲル及び水ゲルの量の、最大放出速度と有効寿命とを得るために、実験的に且つ熱力学的に研究を行なった。１つの具体例において、紫外線Ａ放射及び紫外線Ｖ放射を行なうためのＤ−バルブを有する紫外線ランプを使用する。もう１つの具体例において、カートリッジは、紫外線源又は熱源の下、コンベアで１０フィート／分の速度で通過させる。そのとき、Ｌ−（＋）−乳酸ゲル溶液は硬化する。各々のカートリッジの表面に熱シール性テープを張り、次いで、顧客に出荷するために梱包を行なう。水ゲル溶液の硬化を行なう前又は硬化を行なっている間にＬ−（＋）−乳酸ゲル溶液を硬化させるのは、本発明の範囲内である。Ｌ−（＋）−乳酸ゲル溶液及び水ゲル溶液を別々に硬化させ、任意的に後工程で組立てることも本発明の範囲内である。
【００４４】
硬化反応の機構によって拘束されることを選択する訳ではないが、次の事項は、提案される１つの機構である。基剤原料のアクリル酸ナトリウムは１つの分子内に１個の二重結合を有しており、また、硬化剤ＳＲ６１０は１つの分子内に２個の二重結合を有している。それら二重結合は、紫外線硬化プロセスにおける活性部位である。紫外線下、光開始剤（Irgacure６５１又は８１９ＤＷ）は、諸二重結合と反応してそれら二重結合を単結合に分割する(split)遊離基(free-radicals)を放出する。１個のＳＲ６１０分子の分割済み諸単結合はそれぞれ、４個のアクリル酸ナトリウム分子の分割済み単結合と更に結合して、三次元ネットワーク構造を形成する。Ｌ−（＋）−乳酸及び水は、そのゲルネットワークの中に捕らえられるものの、前述の通り、該ゲルネットワークと結合しない。
【００４５】
Ｌ−（＋）−乳酸ゲル及び水ゲルは、紫外線活性の重合性分子(polymerizing molecule)（アクリル酸塩）を用いて形成するが、当業者なら、それらゲルは他の手段によって形成することができることをよく理解するであろう。例えば、それらゲルは、付加重合、縮合重合、カルボカチオン重合、フリーラジカル重合、アニオン重合、及び有機金属重合によって形成することができる。用いるモノマーも、様々であることがあり、置換アルカン又は非置換アルカン、置換アルケン又は非置換アルケン、置換アルキン又は非置換アルキン、置換ジエン又は非置換ジエン、置換糖類又は非置換糖類、置換ヌクレオチド又は非置換ヌクレオチド、置換脂質又は非置換脂質、及び置換ウレタン又は非置換ウレタンを包含する。多数種の標準化合物に、ハロ−、アミノ−、オキソ−、ヒドロキシル−、チオ−、ニトロ−、アルコキシ−、アリールオキシ−等の基を付加することによって、それら化合物は重合反応に適するようになることがある。ゲルポリマーは、天然のもの（例えば、ゴムラテックス）でも、合成したもの（例えば、ナイロン、及びポリ塩化ビニルＰＶＣ）でもよい。ゲルはまた、他の非重合反応（例えば、酸−塩基反応、沈降反応、及び置換反応）によって形成することもできる。
【００４６】
重合反応は、紫外線の他に、（加熱、冷却、フリーラジカル、可視光線、赤外線、β線、及びγ線を包含する）多くの手段によって、開始させ、制御し、また、停止させることができる。
本発明によると、固体、半固体、又は液体とも異なる形態の乳酸をも使用することができる。例えば、乳酸ゲルに代えて、又は乳酸ゲルと共に焼結済み乳酸を用いることができる。誘引性物体が、焼結済み形態のもう１つの誘引物質と一緒にゲル形態の乳酸を含有すること；又は、ゲル形態のもう１つの誘引物質と一緒に焼結済み形態の乳酸を含有すること；も、本発明の範囲内である。
【００４７】
図７は、本発明のもう１つの具体例による、飛ぶ昆虫を捕獲する装置の斜視図である。図８は、図７の装置の正面図である。装置１０は、可燃性燃料の供給源（例えば、バーベキュー用こんろに燃料を供給するために、消費者によって通常使用されているタイプのプロパンタンク１２）と一緒に使用するように設計する。概して言えば、装置１０の一般的機能は、蚊；及び、肌を刺す他の昆虫であってＣＯ２に誘引される該昆虫；を誘引するように増大されたＣＯ２含有量を有する排出ガスを放出することである。誘引された昆虫は、流れ込むことによって該装置内の捕獲室の中に吸い込まれる。該捕獲室において、それら昆虫は捕獲され、毒薬又は脱水／飢餓によって殺される。代替的に、それら昆虫の研究に携わっている使用者(user)は、捕獲した昆虫を殺さないことを選択し、その代わりに、生体試験を行う目的で、殺す前に装置１０からそれら昆虫を取り除くことができる。装置１０の総括的機能は、特定の昆虫を捕獲する目的とは関係なく、飛ぶ昆虫を誘引して捕獲することである。本発明のこの具体例を操作する方法の仕様を、次に説明する。
【００４８】
装置１０は、１組の脚１７に支持されているハウジング１６を有する支持フレーム構造体１４を備えている。図７及び図８に例示する具体例において、２本の脚１７は、ハウジング１６を支持するために使用する。しかし、支持フレーム構造体１４は、本明細書において以下に解説する諸作動要素(operative components)を支えるのに適した構造又は配置であれば、如何なる構造又は配置を有していてもよい。加えて、該フレームは、車輪１５を有することがある。更に、支持フレーム構造体１４はまた、タンク１２及び装置１４を１つのユニットとして運搬することができるように、プロパンタンク１２を支持するための支持用デッキ１９を有することができる。
ハウジング１６は、底部外板１８と、それに取り付けられている上部外板２０とを備えている。従来の留め具(fasteners)、接着材、スナップ嵌め(snap-fit)関連、又は他のいずれかの適切な手段を用いて、それら外板（１８及び２０）を一緒に連結し固定する。図７及び図８に例示する具体例において、外板（１８及び２０）は、プラスチックで成形することができる；とは言え、それら外板（１８及び２０）及びハウジング１６は概して、如何なる材料で造ってもよいし、また、如何なる形状、配置、又は構造であってもよい。
【００４９】
管状取入れ口ノズル２２は、底部外板１８から下向きに突き出ており、底部外板１８と一体を構成するように形成する。取入れ口ノズル２２は、フレア(flared；外曲がり)下部端２４であって、留め具又はスナップ嵌めによって取入れ口ノズル２２に取り付けられており、このようにして、取入れ口ノズル２２の一部分を形成している該下部端２４を有している。フレア下部端２４は、昆虫引入れ口２６の形を定めている。ノズル２２を真空状態にして、装置１０より放出されるＣＯ２に誘引される昆虫を、捕獲用昆虫引入れ口２６の中に吸い込む。それによって与えられる取入れ口ノズル２２及び引入れ口２６は、適切な方法であれば如何なる方法ででも、支持フレーム構造体１４に支持されることができる。例示され記述される構造は、単なる典型的な構造である。従って、他の諸形状(configuration；相対的配置)を使用することができる。
排出口ノズル２８は、取入れ口ノズル２２内に同心で取り付ける。排出口ノズル２８は、それの下部端に排出口３０を備えている。排出口ノズル２８及びそれの排出口３０の機能は、ＣＯ２を含有する排出ガスの「もくもく立ち昇る煙(plume)」を、そこから外に向かって下向きに流すことである。排出ガスの下向き流れが地面に到達すると、それは、装置１０から地面に沿って半径方向に外に向かって流れる。装置１０から離れるＣＯ２に誘引された蚊及び他の諸昆虫は、この放出されるＣＯ２の煙を感知し、次いで、その煙の源、即ち排出口３０まで煙を追う。
【００５０】
開示する構造から理解されると思うが、排出口ノズル２８は取入れ口ノズル２２と同心であるので、誘引された昆虫は、ＣＯ２の源（即ち、排出口３０）までＣＯ２を追い、このようにして、それら昆虫は、排出口３０に到着すると、直ちに昆虫引入れ口２６に近接する。結果として、誘引された昆虫は、真空によって創り出される真空帯域であって、取入れ口ノズル２２及びそれの昆虫引入れ口２６に連通している該真空帯域の中に直ちに飛んでいくであろう。それによって、それら昆虫は、装置１０の中に吸い込まれ、その中に捕獲される。真空の引入れ口における流れ、及び排出ガスの流出の流れはそれぞれ、図８における流入矢印及び流出矢印によって示される。開示する構造の、この点に関する更なる詳細と変形とは、ウィグトン(Wigton)等及びミラー(Miller)等によって示されている（米国特許第６，２８６，２４９号明細書。それの内容は、言及することによってそっくりそのまま本明細書に組み入れる）。
ハウジング１６の上部外板２０は、ハウジングの壁に形成されている点検用窓(access opening)３４を開閉するための開位置と閉位置の間を移動することができるアクセスドア(access door)３２を備えている。アクセスドア３２は、旋回心軸で回転するように上部外板２０に取り付けられており、点検窓３４の上部端に隣接する上部外板２０の中に形成されている開口（図示せず）の中に、旋回軸ピン３６の上部端を挿入することによって、該ドアの開閉動作が容易となる。本発明のいっそう広い面において、アクセスドア３２は、ハウジング１６から完全に分離してもよく、又は、いずれかの適切な構造を用いて、開閉動作を行うために連結してもよい。実際に、アクセスドア３２は、必ずしも必要でなく、単なる便宜上の機構である。点検用窓の周辺に沿って、変形可能なガスケット３８（図示せず）を取り付けて、アクセスドア３２と点検用窓３４の周辺の間を密封する。
【００５１】
網状袋(mesh bag)４０であって、その内部が昆虫捕獲室の形を定める該網状袋を、ハウジング１６内部に着脱可能なように取り付ける。網状袋４０によって形が定められる昆虫捕獲室は、昆虫引入れ口２６と連結しており、真空によって吸い込まれた昆虫は、網状袋４０の中に堆積するであろう。それら昆虫は、網状袋４０の中で脱水されて死ぬ。代替的に、昆虫の機能が停止するのを促進する目的で、網状袋４０の材料は毒薬で処理することができる。しかし、このことは、本発明の必要な特徴ではない。アクセスドア３２及びそれに関連する点検用窓３４によって、ハウジング１６の内部の中にアクセスすることが可能となり、使用者(user)が、所望により除去／取替えを行なう目的のために、網状袋４０にアクセスすることが可能となる。代替的に、網状袋４０に代えて、プラスチック箱、又は他の適切なあらゆる構造体を使用することができる。
図７及び図８に例示する具体例において、使用者が視覚によって網状袋４０を調べて、それの除去／取替えが必要か否かを決定することができるように、アクセスドア３２は透明材料で形成する。具体的に言えば、透明材料によって、網状袋４０がそれの最大限の昆虫収容能力になっているか又はその近辺になっているか否かを視覚的に検査することが可能となる。アクセスドア３２は透明である必要はなく、更に、前述したように、装置は、アクセスドア３２及びそれに関連する窓３４を必ずしも必要としない。
【００５２】
ハウジング１６内部には、生化学的誘引性物体の、飛ぶ昆虫を誘引する能力を得るために選定した該生化学的誘引性物体を配置する。生化学的誘引性物体は、該誘引性物体がハウジング１６内部にぴったり合うような寸法の固体プラグ(plug)であるような具合に製造することができる。代替的に、生化学的誘引性物体は、担体［例えば、図２に示すような親水性の多孔質フリット(frit)］の上に含浸することができる。固体の誘引物質は、自由に流れる(free-flowing)形態又は圧縮された形態の粉末であるのが好ましい。乳酸の圧縮形態又は成形品には、図３に示すような、該化合物の錠剤若しくは「弾丸型(bullet-shaped)」形状；レンガ状塊；又は層状ケーキ；が包含される。長期間に渡る放出を維持するのに望ましい程度の圧縮を達成するために、固体誘引物質製剤の中に適切な賦形剤を含有させることができる。誘引性物体の好ましい具体例の諸例には、Ｌ−（＋）−乳酸と乳酸カルシウムの粉末混合物が包含される。とりわけ好ましい具体例において、少なくとも１種の生化学的誘引性物体を適切なポリマーと混合して、適合する誘引性ハウジング１６にぴったり合うように設計された幾何学的三次元形状になるように成形する。
【００５３】
本発明を、次の非制限的な諸実施例によって更に説明する。
例１：蚊の誘引物質：食品用Ｌ−（＋）−乳酸水溶液
昆虫捕獲装置のＣＯ２排出ノズルの下部端における生化学的誘引性物体の有効性を調べるため、試料誘引性物体として乳酸製品ＦＣＣ８８を使用した。ＦＣＣ８８は、糖の発酵によって製造される食品用天然Ｌ−（＋）−乳酸である。それは、緩酸味であり、食品産業界において酸味料として広く使用されている。この市販の乳酸の諸特性を、表４に開示する。
【００５４】
2005524708.tif 000006
【００５５】
試料のＬ−（＋）−乳酸溶液の包装は、昆虫捕獲装置のＣＯ２排出煙の中での乳酸の効率的な分散を最大限にすることを目標として選定した。液体乳酸（ＦＣＣ８８）を、親水性多孔質のロッド(rod)又はフリットの中に染み込ませた。そのロッド又はフリットは、次いで、６ｍｌの高密度ポリエチレン（ＨＤＰＥ）容器の中に密封した。各々のフリットには、液体乳酸３．５ｇ〜４．５ｇを染み込ませた。
含浸済みフリットのカートリッジからのＬ−（＋）−乳酸の分散特性を評価するため、先ず、実験室条件下で放出速度試験を行なった。数多くの穴／開口を有する「籠型(basket-style)」ハウジングの中に、試料容器の蓋を外した該試料容器を置いて、該含浸済みフリットから乳酸蒸気を放出させた。補足的昆虫誘引性要素のハウジングは、昆虫捕獲装置の排出ノズルの中に挿入した。乳酸の放出は、２つの温度で測定して比較した。排出煙の温度は、結果的に、８７ｏＦに設定し、次いで９７ｏＦに設定した。これらの放出試験の結果は、表５に示す。
【００５６】
2005524708.tif 000007
【００５７】
表５に示す実験室的試験の結果から、含浸済みフリットカートリッジからの乳酸蒸気の放出速度が時間と温度の両方に依存することが分かる。一定温度（ここでは、８７ｏＦ）では、乳酸の放出速度は時間と共に減少した。高温では、いっそう高い放出速度が達成された。８７ｏＦで５日間〜８日間に渡って乳酸の放出を調べた同一試料から、９７ｏＦ〜１００ｏＦで５．０ｍｇ／時間〜７．１ｍｇ／時間の放出速度が得られた。
Ｌ−（＋）−乳酸を含浸したフリットカートリッジの有効寿命は、該カートリッジの中に当初負荷した誘引物質の量と、該カートリッジがさらされている環境条件とに依って変わることがある。任意のカートリッジの最終的な使用時間又は放出時間は、特定の環境条件に必要な放出速度を満たすように調整することができる。例えば、Ｌ−（＋）−乳酸３．５ｇから成るカートリッジは、５ｍｇ／時間〜１０ｍｇ／時間の平均放出速度で少なくとも２〜４週間の間使用することができるものと推定される。誘引性組成物のポリマー製剤については、いっそう長い放出期間が期待される。
【００５８】
昆虫捕獲装置に入れたＬ−（＋）−乳酸誘引性物体に関する実地試験は、ハワイ州で行なった。上述のように調製した、Ｌ−（＋）−乳酸を含浸したフリットの諸試料は、ハワイ州のMosquito Magnet（登録商標）専用捕獲装置(Professional trap)［米国ロードアイランド州、イーストグレニッチ、アメリカン・バイオフィジックス社(American Biopyhsics Corporation)］に設置されている開放型「籠型」ハウジングで試験を行った。試験は、１月の月の４日間行った。乳酸を含浸したフリットを有する諸試料容器は、測定の均一性を確保するために２日毎に取り換えた。測定された放出速度は、約４．０ｍｇ／時間〜２０ｍｇ／時間であった。乳酸誘引性物体を入れていない専用捕獲装置を用いて、諸対照を試験した。昆虫捕獲装置の捕獲袋の中に保持された蚊の数量は、試験試料及び対照実験について計量した。表６に示すように、Ｌ−（＋）−乳酸溶液を含有する誘引性物体は、誘引物質としてＣＯ２のみに頼った捕獲装置に比べて、全蚊捕獲数量はいっそう大きい結果となった。これらの液体乳酸誘引性物体は、とりわけ、デングウィルス(dengue virus)及び西ナイルウィルス(West Nile virus)を伝染するものと思われているヒトスジシマカ(A. albopictus, the Asian “tiger mosquitoes”)を誘引するのにいっそう効果的であった。
【００５９】
2005524708.tif 000008
【００６０】
ハワイの実施試験によると、蚊の発生を助長する大抵の条件下、４ｍｇ／時間より大きい放出速度によって、良好な蚊捕獲量が得られるようである。
開示する乳酸含有の誘引性物体の有効性をオクテン−３−オールと比較する追加試験を行った。ＣＯ２煙(plume)を発生する装置を用いて使用したときの乳酸は、１−オクテン−３−オールと比べて、飛ぶ昆虫を誘引する点で意外にもいっそう効き目があることが分かった。例えば、１回の試行で、乳酸含有の誘引性物体によって、２日間に渡り３００〜５００匹の飛ぶ昆虫が捕獲されたのに対して、１−オクテン−３−オール含有の装置によって、そのような昆虫を１００匹未満でしか捕獲できなかった。乳酸含有の誘引性物体を用いた場合とそれを用いなかった場合の、Mosquito Magnet（登録商標）解放捕獲装置(Liberty trap)（米国ロードアイランド州、イーストグレニッチ、アメリカン・バイオフィジックス社）の試運転の結果もまた、意外であった。誘引物質としてＣＯ２煙のみを利用した解放捕獲装置単独では、２日間に渡り約２０００匹の飛ぶ昆虫が捕獲された。乳酸含有誘引性物体を付加することによって、飛ぶ昆虫の捕獲総数は約４７００匹という、ＣＯ２のみを用いる装置の有効性を超える驚愕すべき増加数に増大した。
【００６１】
試行試験データは、図５にグラフで表す。試験結果は、固体（座薬）形態と液体（フリット）形態の両方に入っている乳酸は、ＣＯ２のみを用いて昆虫を捕獲装置まで誘引した後に数えた対照の昆虫捕獲総数と比べて、昆虫捕獲総数を実質的に改善することを表している。意外にも、既知の誘引物質のオクテノールは、飛ぶ昆虫を誘引する場合、図２及び図３に表す構造に入れた乳酸と比べて、全く役に立たないことが分かった。
諸生化学的誘引性物体を用いて蚊を捕獲することのとりわけ有利な面は、それら誘引性物体に関連する安全性が大きいことであり、とりわけ、伝統的な化学的誘引物質と比べた場合、そうである。種々の哺乳動物に対するＦＣＣ８８［Ｌ−（＋）−乳酸溶液］の急性毒性度を、表７に開示する。
【００６２】
2005524708.tif 000009
【００６３】
対照的に、ラットに経口投与した１−オクテン−３−オールのＬＤ５０は０．３４ｇ／ｋｇである。従って、上述の諸試行で用いたＬ−（＋）−乳酸溶液は、市販の大抵の蚊捕獲器に入れる誘引物質として広く使用されている１−オクテン−３−オールと比べて、毒性は約１１倍弱い。Ｌ−（＋）−乳酸溶液との局部的接触は、眼及び皮膚に対する炎症と、乳酸の蒸気(mist)を吸入した場合の呼吸器系の炎症とを引き起こすことがあるが、そのような生化学的誘引性物体を適切に取り扱えば、平均的敏感性のヒトに対する毒性の問題は本質的に排除される。Ｌ−（＋）−乳酸溶液を含有する誘引性物体の適切な取り扱い及び廃棄には、液体誘引性物体のカートリッジ又は固体ペレットとの直接接触を避けることが包含される。
従って、生化学的誘引性物体は、１種以上の活性化合物が皮膚との接触から遮蔽されるようなやり方で製造することができる。例えば、生化学的誘引性物体の固体ペレットは、半透過性膜で包むことができる。担体に含浸される液体誘引性物体を、同様に作ることができる。取換え用誘引性物体は、皮膚に対する露出を更に減少させるために使い捨て可能なユニットとして包装して、使用の利便性を高めることができる。誘引性物体は、安全の目的で、子供に安全な容器に包装することができる。本発明のこれらの面は、ブリティン(Brittin)等と比べて優れている。ブリティン等では、誘引物質を含有する液体捕獲媒体は開放状態であり、接近することが可能であり、潜在的なヒト及びコンパニオンアニマルに対する暴露を制限する安全梱包が施されていない。
残渣及び未使用製品の廃棄物は、地方条例によって命令される通りに、廃水として廃棄するか；埋め立てごみ処理地に堆積するか；又は焼却する；ことができる。
【００６４】
例２：ハワイでの試験における蚊に対するＬ−（＋）−乳酸の誘引性
Mosquito Magnet（登録商標）専用（ＰＲＯ）捕獲装置及び解放捕獲装置に入れた、誘引性物体として使用した［乳酸／ＣＯ２］と［ＣＯ２のみ］の間の比較を、表８に示す。
【００６５】
2005524708.tif 000010
【００６６】
Mosquito Magnet（登録商標）専用（ＰＲＯ）捕獲装置中で用いた乳酸と１−オクテン−３−オールの間の比較を、表９に示す。
【００６７】
2005524708.tif 000011
【００６８】
例３：  中国での試験における蚊に対するＬ−（＋）−乳酸の誘引性
中国で発見された蚊の種類には、Culex pipiens pallens （大多数）、ヒトスジシマカ(A. albopictus)、Anopheles sinensis （少数）、及びArmigetes subalbatus （少数）が含まれる。中国（ホーフェイ、ウーフー、上海）における蚊は、ＣＯ２と比べて、薬品（ルレックス又はオクテノール）に対してあまり感受性があるようには思えなかった。毎日の蚊の捕獲匹数は、主に蚊の季節的分布によって決まった。ヒトスジシマカは、オクテノールよりもルレックスに対していっそう誘引される。この例に、Mosquito Magnet（登録商標）解放捕獲装置を使用した。
［ＣＯ２と一緒にしたルレックス］対［ＣＯ２のみ］の比較を、表９に示す。
【００６９】
2005524708.tif 000012
【００７０】
［ＣＯ２と一緒にしたルレックス］対［ＣＯ２と一緒にしたオクテノール］の比較を、表１０に示す。
【００７１】
2005524708.tif 000013
【００７２】
ルレックス（ｗ／ＣＯ２）と、ルレックスのみと、ファンのみの間を比較する、ルレックスの屋内試験は、表１１に示す。
【００７３】
2005524708.tif 000014
【００７４】
例４：  直径０．１４インチの穴を有する大カートリッジからのルレックスの放出速度
ルレックスのカートリッジは、Ｌ−（＋）−乳酸ゲル１１．０ｇと、水ゲル３．５ｇとを含有した。放出温度は９０ｏＦであり、該カートリッジは、実験室放出装置(lab release station)で試験を行った。表１２にデータを示す。
【００７５】
2005524708.tif 000015
【００７６】
従って、本発明の諸面は十分に且つ効果的に記述されたことをよく理解することができる。前述の具体的な諸具体例は、本発明の構造的原理及び機能的原理を例示することが分かった。また、それら具体例は、限定するようには意図されていない。それとは反対に、本発明は、詳細な記述の趣旨及び範囲の中での部分的修正、代替物、及び置換の全てを包含するように意図されている。
【図面の簡単な説明】
【００７７】
【図１】本発明の１つの具体例によるゲル状ルレックス(Lurex)の製造工程を説明する流れ図である。
【図２】液体乳酸で含浸された種々のキャリヤ(carriers；担体)を示す。
【図３】固体の乳酸誘引性物体に適した種々の形状を示す。
【図４】ＣＯ２を放出する昆虫捕獲用装置の昆虫捕獲総数に及ぼす幾つかの視覚的誘引性物体の影響を説明するグラフである。
【図５】ＣＯ２を放出する昆虫捕獲用装置の昆虫捕獲総数に対する乳酸含有誘引性物体の顕著な効果を説明するグラフである。
【図６】直径０．１４インチの穴を１個有する大きいカートリッジ(cartridge；小容器)からのルレックス誘引性物体の放出を説明するグラフである。
【図７】本発明のもう１つの具体例による装置の斜視図である。
【図８】図７の装置の正面図である。
【図１】
2005524708.tif 000016
【図２】
2005524708.tif 000017
【図３】
2005524708.tif 000018
【図４】
2005524708.tif 000019
【図５】
2005524708.tif 000020
【図６】
2005524708.tif 000021
【図７】
2005524708.tif 000022
【図８】
2005524708.tif 000023
【手続補正書】
【提出日】平成17年1月11日(2005.1.11)
【手続補正１】
【補正対象書類名】特許請求の範囲
【補正対象項目名】全文
【補正方法】変更
【補正の内容】
【特許請求の範囲】
【請求項１】
乳酸の溶液を含有する、飛ぶ昆虫を誘引するための誘引性物体であって、該溶液がゲル化網状組織を形成することができ；しかも、前記乳酸が該ゲル化網状組織に化学的には結合していない、上記誘引性物体。
【請求項２】
モノマーと水との水溶液を更に含有しており；しかも、該水溶液が、該モノマーの重合によってゲル化網状組織を形成することができ；しかも、該水が、該ゲル化網状組織に化学的には結合していない、請求項１に記載の誘引性物体。
【請求項３】
乳酸の溶液が、ゲル形態でゲル化網状組織の中に組み込まれている、請求項１に記載の誘引性物体。
【請求項４】
ゲルが、付加重合反応、縮合重合反応、カルボカチオン重合反応、フリーラジカル重合反応、アニオン重合反応又は有機金属重合反応によって形成されている、請求項３に記載の誘引性物体。
【請求項５】
ゲルが、紫外線、加熱、冷却、フリーラジカル、可視光線、赤外線、β線若しくはγ線によって、開始された反応；制御された反応；停止された反応；開始され制御された反応；開始され停止された反応；又は制御され停止された反応；の生成物である、請求項３に記載の誘引性物体。
【請求項６】
水溶液が、ゲル形態でゲル化網状組織の中に組み込まれている、請求項２に記載の誘引性物体。
【請求項７】
モノマーの重合が、付加重合反応、縮合重合反応、カルボカチオン重合反応、フリーラジカル重合反応、アニオン重合反応又は有機金属重合反応によるものである、請求項６に記載の誘引性物体。
【請求項８】
ゲルが、紫外線、加熱、冷却、フリーラジカル、可視光線、赤外線、β線若しくはγ線によって、開始された反応；制御された反応；停止された反応；開始され制御された反応；開始され停止された反応；又は制御され停止された反応；の生成物である、請求項６に記載の誘引性物体。
【請求項９】
乳酸の溶液と第１の紫外線反応性化合物とを含有している、飛ぶ昆虫を誘引するための誘引性物体。
【請求項１０】
水と第２の紫外線反応性化合物との溶液を更に含有している、請求項９に記載の誘引性物体。
【請求項１１】
乳酸がＬ−（＋）−乳酸である、請求項９に記載の誘引性物体。
【請求項１２】
第１の紫外線反応性化合物がアクリル酸である、請求項９に記載の誘引性物体。
【請求項１３】
第１の紫外線反応性化合物が、アクリル酸の塩である、請求項９に記載の誘引性物体。
【請求項１４】
第２の紫外線反応性化合物がアクリル酸である、請求項１０に記載の誘引性物体。
【請求項１５】
第２の紫外線反応性化合物が、アクリル酸の塩である、請求項１０に記載の誘引性物体。
【請求項１６】
溶液が、乳酸を１重量％〜９９重量％含有している、請求項９に記載の誘引性物体。
【請求項１７】
溶液が、乳酸を５０重量％〜９０重量％含有している、請求項１６に記載の誘引性物体。
【請求項１８】
溶液が、乳酸を８８重量％含有している、請求項１７に記載の誘引性物体。
【請求項１９】
光開始剤を更に含有している、請求項９に記載の誘引性物体。
【請求項２０】
光開始剤が２,２−ジメトキシ−１,２−ジフェニルエタン−１−オンである、請求項１９に記載の誘引性物体。
【請求項２１】
光開始剤がホスフィンオキシドである、請求項１９に記載の誘引性物体。
【請求項２２】
光開始剤を更に含有している、請求項１０に記載の誘引性物体。
【請求項２３】
光開始剤が２,２−ジメトキシ−１,２−ジフェニルエタン−１−オンである、請求項２２に記載の誘引性物体。
【請求項２４】
光開始剤がホスフィンオキシドである、請求項２２に記載の誘引性物体。
【請求項２５】
架橋剤を更に含有している、請求項９に記載の誘引性物体。
【請求項２６】
架橋剤がポリエチレングリコール６００ジアクリレートである、請求項２５に記載の誘引性物体。
【請求項２７】
架橋剤を更に含有している、請求項１０に記載の誘引性物体。
【請求項２８】
架橋剤がポリエチレングリコール６００ジアクリレートである、請求項２７に記載の誘引性物体。
【請求項２９】
Ｌ−（＋）−乳酸−ゲル溶液と、水性ゲル溶液とを含有する、飛ぶ昆虫を誘引するための誘引性物体であって、
（ａ）前記Ｌ−（＋）−乳酸−ゲル溶液が、
(i) アクリル酸ナトリウムを２０重量％〜５０重量％、
(ii)Ｌ−（＋）−乳酸を５０重量％〜７５重量％、
(iii) ポリエチレングリコール６００ジアクリレートを１重量％〜５重量％、
(iv)ホスフィンオキシドを１重量％〜３重量％
更に含有しており；しかも
（ｂ）前記水性ゲル溶液が、
(i) アクリル酸ナトリウムを３０重量％〜７０重量％、
(ii)Ｌ−（＋）−乳酸を２重量％〜６重量％、
(iii) ポリエチレングリコール６００ジアクリレートを１重量％〜５重量％、
(iv)ホスフィンオキシドを０．５重量％〜２重量％、及び
(v) 蒸留水を３０重量％〜７０重量％
更に含有している；上記誘引性物体。
【請求項３０】
（ａ）Ｌ−（＋）−乳酸−ゲル溶液が、
(i) アクリル酸ナトリウムを３７．０重量％、
(ii)Ｌ−（＋）−乳酸を５９．６重量％、
(iii) ポリエチレングリコール６００ジアクリレートを２．４重量％、
(iv)ホスフィンオキシドを１．０重量％、
更に含有しており；しかも
（ｂ）水性ゲル溶液が、
(i) アクリル酸ナトリウムを４７．０重量％、
(ii)Ｌ−（＋）−乳酸を３．４重量％、
(iii) ポリエチレングリコール６００ジアクリレートを３．４重量％、
(iv)ホスフィンオキシドを１．２重量％、及び
(v) 蒸留水を４５．０重量％、
更に含有している；請求項２９に記載の上記誘引性物体。
【請求項３１】
ゲル中に乳酸を含有している、飛ぶ昆虫を誘引するための誘引性物体。
【請求項３２】
ゲル中に水を更に含有している、請求項３１に記載の誘引性物体。
【請求項３３】
乳酸の第１の溶液を重合する工程を包含する、飛ぶ昆虫を誘引するための誘引性物体を調製する方法。
【請求項３４】
モノマーと水との水溶液を重合する工程を更に包含する、請求項３３に記載の方法。
【請求項３５】
乳酸の第１の溶液を重合する工程は、乳酸の第２の溶液と第１の紫外線反応性化合物とを紫外線に当てる工程を包含する、請求項３３に記載の方法。
【請求項３６】
モノマーと水との水溶液を重合する工程は、該水溶液を紫外線に当てる工程を包含する、請求項３４に記載の方法。
【請求項３７】
飛ぶ昆虫を誘引するための誘引性物体を製造するための方法は、
（ａ）(i) アクリル酸ナトリウムを２０重量％〜５０重量％、
(ii)Ｌ−（＋）−乳酸を５０重量％〜７５重量％、
(iii) ポリエチレングリコール６００ジアクリレートを１重量％〜５重量％、
(iv)ホスフィンオキシドを１重量％〜３重量％
更に含有するＬ−（＋）−乳酸−ゲル溶液を調製する工程と；
（ｂ）(i) アクリル酸ナトリウムを３０重量％〜７０重量％、
(ii)Ｌ−（＋）−乳酸を２重量％〜６重量％、
(iii) ポリエチレングリコール６００ジアクリレートを１重量％〜５重量％、
(iv)ホスフィンオキシドを０．５重量％〜２重量％、
(v) 蒸留水を３０重量％〜７０重量％
更に含有する水性ゲル溶液を調製する工程と；を包含する、上記製造方法。
【請求項３８】
（ａ）Ｌ−（＋）−乳酸−ゲル溶液は、
(i) アクリル酸ナトリウムを３７．０重量％、
(ii)Ｌ−（＋）−乳酸を５９．６重量％、
(iii) ポリエチレングリコール６００ジアクリレートを２．４重量％、
(iv)ホスフィンオキシドを１．０重量％
含有し；しかも
（ｂ）水性ゲル溶液は、
(i) アクリル酸ナトリウムを４７．０重量％、
(ii)Ｌ−（＋）−乳酸を３．４重量％、
(iii) ポリエチレングリコール６００ジアクリレートを３．４重量％、
(iv)ホスフィンオキシドを１．２重量％、及び
(v) 蒸留水を４５．０重量％
含有する；請求項３７に記載の方法。
【請求項３９】
紫外線放射は、紫外線Ａ放射又は紫外線Ｙ放射である、請求項３７に記載の方法。
【請求項４０】
水性ゲル溶液を紫外線放射に当てる工程は、該水性ゲルを紫外線ランプに当てる工程であって該紫外線ランプがＤガラス球(D-bulb)を更に備えている該工程を包含する、請求項３７に記載の方法。
【請求項４１】
Ｌ−（＋）−乳酸ゲル溶液を紫外線放射に当てる工程は、該Ｌ−（＋）−乳酸ゲルを紫外線ランプに当てる工程であって該紫外線ランプがＤガラス球を更に備えている該工程を包含する、請求項３７に記載の方法。
【請求項４２】
昆虫を採集するための捕獲室と；該捕獲室と連通している入口と；該入口に接近している昆虫が該捕獲室の中に引き込まれるように、該入口を経由して該捕獲室の中に空気を取り込むように構成されている気流発生器と；昆虫を前記装置まで誘引するための少なくとも１つの誘引性物体であって、該誘引性物体が、乳酸の溶液であって該溶液がゲル化網状組織を形成することができ、しかも、該乳酸が該ゲル化網状組織に化学的には結合されていない前記の乳酸の溶液を含有している前記の少なくとも１つの誘引性物体と；を含む装置。
【請求項４３】
誘引性物体が、モノマーと水との水溶液を更に含有しており；しかも、該水溶液が、該モノマーの重合によってゲル化網状組織を形成することができ；しかも、該水が、該ゲル化網状組織に化学的には結合されていない；請求項４２に記載の装置。
【請求項４４】
溶液が、Ｌ−（＋）−乳酸を８８重量％含有している、請求項４２に記載の装置。
【請求項４５】
誘引性物体は、乳酸の放出を制御可能な状態で行なうように装置の内部に、設計されているか、構成されているか、又は配置されている、請求項４２に記載の装置。
【請求項４６】
放出は、ＣＯ２排気中に約２．０ｍｇ／時間〜約２０ｍｇ／時間の速度で行なわれる、請求項４５に記載の装置。
【請求項４７】
昆虫を採集するための捕獲室と；該捕獲室と連通している入口と；該入口に接近している昆虫が該捕獲室の中に引き込まれるように、該入口を経由して該捕獲室の中に空気を取り込むように構成されている気流発生器と；昆虫を前記装置まで誘引するための少なくとも１つの誘引性物体であって、該誘引性物体が
ａ）乳酸の溶液であって、該溶液がゲル化網状組織を形成することができ、しかも、該乳酸が該ゲル化網状組織に化学的には結合されていない前記の乳酸の溶液、並びに、
ｂ）モノマー及び水の水溶液であって、該水溶液が、該モノマーの重合によってゲル化網状組織を形成することができ、しかも、該水が、該ゲル化網状組織に化学的には結合されていない該水溶液、
を含有している前記の少なくとも１つの誘引性物体と；を含む装置。
【請求項４８】
（ａ）乳酸の溶液が、
(i) アクリル酸ナトリウムを３７．０重量％、
(ii)Ｌ−（＋）−乳酸を５９．６重量％、
(iii) ポリエチレングリコール６００ジアクリレートを２．４重量％、
(iv)ホスフィンオキシドを１．０重量％
含有する紫外線照射済み溶液を含有しており；しかも
（ｂ）水溶液が、
(i) アクリル酸ナトリウムを４７．０重量％、
(ii)Ｌ−（＋）−乳酸を３．４重量％、
(iii) ポリエチレングリコール６００ジアクリレートを３．４重量％、
(iv)ホスフィンオキシドを１．２重量％、及び
(v) 蒸留水を４５．０重量％
含有する紫外線照射済み溶液を含有している；請求項４７に記載の装置。
【請求項４９】
誘引性物体が、カートリッジの中に組み込まれている、請求項４８に記載の装置。
【請求項５０】
カートリッジが、少なくとも１つの穴を更に有している、請求項４９に記載の装置。
【請求項５１】
少なくとも１つの穴が、約０．０５インチ〜約０．２５インチの直径を有している、請求項５０に記載の装置。
【請求項５２】
少なくとも１つの穴が、約０．１インチ〜約０．２インチの直径を有している、請求項５１に記載の装置。
【請求項５３】
少なくとも１つの穴が、約０．１４インチの直径を有している、請求項５２に記載の装置。
【請求項５４】
昆虫を採集するための捕獲室と；該捕獲室と連通している入口と；該入口に接近している昆虫が該捕獲室の中に引き込まれるように、該入口を経由して該捕獲室の中に空気を取り込むように構成されている気流発生器と；昆虫を前記装置まで誘引するための少なくとも１つの誘引性物体であって、該誘引性物体が、乳酸を含有する第１のゲルを含有している前記の少なくとも１つの誘引性物体と；を含む装置。
【請求項５５】
誘引性物体が、水を含有する第２のゲルを更に含有している、請求項５４に記載の装置。
【請求項５６】
（ａ）第１のゲルが、
(i) アクリル酸ナトリウムを３７．０重量％、
(ii)Ｌ−（＋）−乳酸を５９．６重量％、
(iii) ポリエチレングリコール６００ジアクリレートを２．４重量％、
(iv)ホスフィンオキシドを１．０重量％
含有しており；しかも
（ｂ）第２のゲルが、
(i) アクリル酸ナトリウムを４７．０重量％、
(ii)Ｌ−（＋）−乳酸を３．４重量％、
(iii) ポリエチレングリコール６００ジアクリレートを３．４重量％、
(iv)ホスフィンオキシドを１．２重量％、及び
(v) 蒸留水を４５．０重量％
含有している；請求項５５に記載の装置。
【請求項５７】
溶液が、アンモニア源を更に含有している、請求項１に記載の誘引性物体。
【請求項５８】
乳酸の溶液から分離されているアンモニア源を更に含有している、請求項１に記載の誘引性物体。
【請求項５９】
アンモニア源を更に含有している、請求項３１に記載の誘引性物体。
【請求項６０】
アンモニア源が、乳酸ゲルから分離されている、請求項５９に記載の誘引性物体。
【請求項６１】
乳酸の第１の溶液をアンモニア源と混ぜ合わせる追加工程を包含する、請求項３３に記載の方法。
【請求項６２】
アンモニア源が、乳酸の第１の溶液から分離されている、請求項６１に記載の方法。
【請求項６３】
誘引性物体が、アンモニア源を更に含有している、請求項４２に記載の装置。
【請求項６４】
装置が、昆虫を該装置まで誘引するための第２の誘引性物体を更に含み；しかも、第２の誘引性物体がアンモニア源を含有しており、第２の誘引性物体が第１の誘引性物体から分離されている、請求項４２に記載の装置。
【請求項６５】
誘引性物体が、アンモニア源を更に含有している、請求項４７に記載の装置。
【請求項６６】
装置が、昆虫を該装置まで誘引するための第２の誘引性物体を更に含み；しかも、第２の誘引性物体がアンモニア源を含有しており、第２の誘引性物体が第１の誘引性物体から分離されている、請求項４７に記載の装置。
【請求項６７】
誘引性物体が、アンモニア源を更に含有している、請求項５４に記載の装置。
【請求項６８】
装置が、昆虫を該装置まで誘引するための第２の誘引性物体を更に含み；しかも、第２の誘引性物体がアンモニア源を含有しており、第２の誘引性物体が第１の誘引性物体から分離されている、請求項５４に記載の装置。
【国際調査報告】
2005524708.tif 000024
2005524708.tif 000025